(57)【要約】  本開示の態様は、第５世代システム（５ＧＳ）ネットワークスライシングと発展型パケットコア（ＥＰＣ）接続性との間の相互作用を可能にするためのメカニズムに関する。一例では、ネットワークスライスのセットからのネットワークスライスへの接続性を提供する、既存のパケットデータ単位（ＰＤＵ）セッションのための技法が提供される。ネットワークスライスへの接続性は、ネットワークスライスを使用するユーザ機器（ＵＥ）が５Ｇネットワークと４Ｇネットワークとの間を移動することに応答する。既存のＰＤＵセッションは、ネットワークスライスによって提供される同じサービスをサポートする専用ＥＰＣコアネットワークに接続される。
2021500800.tif 000002
【特許請求の範囲】
【請求項１】
ワイヤレス通信の方法であって、
データネットワーク名（ＤＮＮ）に、およびユーザ機器（ＵＥ）が発展型パケットコア（ＥＰＣ）に接続されるときに使用されるべきアクセスポイント名（ＡＰＮ）に、ネットワークスライス選択ポリシー（ＮＳＳＰ）がネットワークスライスへのアプリケーションをマッピングすることを可能にすることと、
前記アプリケーションをマッピングすることと
を備える方法。
【請求項２】
前記ＥＰＣの中で使用される前記ＡＰＮが、第５世代コアネットワーク（５ＧＣ）の中で使用される前記ＤＮＮとは異なる、請求項１に記載の方法。
【請求項３】
前記ＮＳＳＰがネットワークスライスへの前記アプリケーションをマッピングすることを前記可能にすることが、前記ＵＥが前記５ＧＣに接続することに応答して実行される、請求項１に記載の方法。
【請求項４】
アクティブなパケットデータ単位（ＰＤＵ）セッションごとに、前記ネットワークスライス、前記ＤＮＮ、および前記ＡＰＮから、ＰＤＵセッション識別情報（ＩＤ）への、マッピングを保持することをさらに備える、請求項１に記載の方法。
【請求項５】
ワイヤレス通信の方法であって、
ユーザ機器（ＵＥ）が発展型パケットコア（ＥＰＣ）に移動することに応答して、または前記ＵＥが前記ＥＰＣの中にある間に新たなパケットデータネットワーク（ＰＤＮ）接続が作成されることに応答して、ＵＥ機能が、アクティブなＰＤＮ接続と対応する単一ネットワークスライス選択支援情報（Ｓ−ＮＳＳＡＩ）との間のマッピングを保持することを可能にすることと、
登録プロシージャ中に前記マッピングについての情報をアクセスおよびモビリティ管理機能（ＡＭＦ）に提供することと
を備える方法。
【請求項６】
ＰＤＮ接続が、パケットデータ単位（ＰＤＵ）セッションと同じかまたは類似である、請求項５に記載の方法。
【請求項７】
前記ＵＥが前記ＥＰＣの中にある間に前記新たなＰＤＮ接続が作成されることに応答して、前記対応するＳ−ＮＳＳＡＩをプロトコル構成オプション（ＰＣＯ）フィールドの中で受信すること
をさらに備える、請求項５に記載の方法。
【請求項８】
ワイヤレス通信の方法であって、
様々なネットワークスライスへの接続性をサポートするアクセスおよびモビリティ管理機能（ＡＭＦ）が、ＵＥに対してネットワークによって許容されるネットワークスライスのリストの中のネットワークスライスのセットから、発展型パケットコア（ＥＰＣ）の中の特定の専用コアネットワーク（ＤＣＮ）までの間の、マッピングを用いて構成されることを可能にすることと、
前記マッピングを適用することと
を備える方法。
【請求項９】
ネットワークスライスの前記セットのネットワークスライスが、単一ネットワークスライス選択支援情報（Ｓ−ＮＳＳＡＩ）によって識別される、請求項８に記載の方法。
【請求項１０】
許容ネットワークスライスが許容Ｓ−ＮＳＳＡＩによって識別される、請求項９に記載の方法。
【請求項１１】
前記ネットワークスライスに対応するセッション管理機能（ＳＭＦ）を選択するために、前記Ｓ−ＮＳＳＡＩが前記ＡＭＦによって使用される、請求項９に記載の方法。
【請求項１２】
ワイヤレス通信の方法であって、
セッション管理機能（ＳＭＦ）選択機能が、ネットワークスライスのセットと発展型パケットコア（ＥＰＣ）の中の専用コアネットワーク（ＤＣＮ）との間のマッピングを考慮して、アクセスおよびモビリティ管理機能（ＡＭＦ）が、ネットワークスライスに対応するユーザ機器（ＵＥ）に対してパケットデータ単位（ＰＤＵ）セッションを確立するためのＳＭＦを選択することを確実にすることを可能にすることと、
前記ＳＭＦ選択機能を適用することと
を備える方法。
【請求項１３】
前記ＵＥが前記ＰＤＵセッションを前記ＥＰＣに移動させるとともに、特定のＤＣＮがネットワークスライスの前記セットと前記ＤＣＮとの間の前記マッピングに基づいて前記ＵＥにサービスするための選択であるとき、前記マッピングが、前記ＳＭＦが前記ＰＤＵセッションに対する接続性管理をサポートし続けることを確実にする、請求項１１に記載の方法。
【請求項１４】
ワイヤレス通信の方法であって、
許容単一ネットワークスライス選択支援情報（Ｓ−ＮＳＳＡＩ）に基づいてアクセスおよびモビリティ管理機能（ＡＭＦ）によって設定された一時的ユーザ機器（ＵＥ）使用タイプを用いて、ホーム加入者サーバ（ＨＳＳ）の中に保持される加入済みＵＥ使用タイプを増補することと、
前記許容Ｓ−ＮＳＳＡＩが前記ＵＥに割り振られるときに前記一時的ＵＥ使用タイプを前記ＨＳＳに提供することと
を備える方法。
【請求項１５】
前記加入済みＵＥ使用タイプに加えて前記一時的ＵＥ使用タイプを前記ＨＳＳの中に記憶することをさらに備える、請求項１４に記載の方法。
【請求項１６】
前記ＵＥ使用タイプをモビリティ管理エンティティ（ＭＭＥ）に提供するとき、前記ＨＳＳが、記憶された一時的ＵＥ使用タイプを有する場合、前記ＨＳＳが前記一時的ＵＥ使用タイプを提供する、請求項１５に記載の方法。
【請求項１７】
ワイヤレス通信デバイスであって、
命令を記憶するメモリと、
前記メモリと通信しているプロセッサとを備え、
データネットワーク名（ＤＮＮ）に、およびユーザ機器（ＵＥ）が発展型パケットコア（ＥＰＣ）に接続されるときに使用されるべきアクセスポイント名（ＡＰＮ）に、ネットワークスライス選択ポリシー（ＮＳＳＰ）がネットワークスライスへのアプリケーションをマッピングすることを可能にし、
前記アプリケーションをマッピングするために、
前記プロセッサが前記命令を実行するように構成される、ワイヤレス通信デバイス。
【請求項１８】
前記ＥＰＣの中で使用される前記ＡＰＮが、第５世代コアネットワーク（５ＧＣ）の中で使用される前記ＤＮＮとは異なる、請求項１７に記載のワイヤレス通信デバイス。
【請求項１９】
前記ＵＥが前記５ＧＣに接続することに応答して、前記ＮＳＳＰがネットワークスライスへの前記アプリケーションをマッピングすることを可能にするように、前記プロセッサがさらに構成される、請求項１７に記載のワイヤレス通信デバイス。
【請求項２０】
アクティブなパケットデータ単位（ＰＤＵ）セッションごとに、前記ネットワークスライス、前記ＤＮＮ、および前記ＡＰＮから、ＰＤＵセッション識別情報（ＩＤ）への、マッピングを保持するように、前記プロセッサがさらに構成される、請求項１７に記載のワイヤレス通信デバイス。
【請求項２１】
ワイヤレス通信デバイスであって、
命令を記憶するメモリと、
前記メモリと通信しているプロセッサとを備え、
ユーザ機器（ＵＥ）が発展型パケットコア（ＥＰＣ）に移動することに応答して、または前記ＵＥが前記ＥＰＣの中にある間に新たなパケットデータネットワーク（ＰＤＮ）接続が作成されることに応答して、ＵＥ機能が、アクティブなＰＤＮ接続と対応する単一ネットワークスライス選択支援情報（Ｓ−ＮＳＳＡＩ）との間のマッピングを保持することを可能にし、
登録プロシージャ中に前記マッピングについての情報をアクセスおよびモビリティ管理機能（ＡＭＦ）に提供するために、
前記プロセッサが前記命令を実行するように構成される、ワイヤレス通信デバイス。
【請求項２２】
ＰＤＮ接続が、パケットデータ単位（ＰＤＵ）セッションと同じかまたは類似である、請求項２１に記載のワイヤレス通信デバイス。
【請求項２３】
前記ワイヤレス通信デバイスが前記ＥＰＣの中にある間に前記新たなＰＤＮ接続が作成されることに応答して、前記対応するＳ−ＮＳＳＡＩをプロトコル構成オプション（ＰＣＯ）フィールドの中で受信するために、
前記プロセッサが前記命令を実行するようにさらに構成される、請求項２１に記載のワイヤレス通信デバイス。
【請求項２４】
ワイヤレス通信デバイスであって、
命令を記憶するメモリと、
前記メモリと通信しているプロセッサとを備え、
様々なネットワークスライスへの接続性をサポートするアクセスおよびモビリティ管理機能（ＡＭＦ）が、ＵＥに対してネットワークによって許容されるネットワークスライスのリストの中のネットワークスライスのセットから、発展型パケットコア（ＥＰＣ）の中の特定の専用コアネットワーク（ＤＣＮ）までの間の、マッピングを用いて構成されることを可能にし、
前記マッピングを適用するために、
前記プロセッサが前記命令を実行するように構成される、ワイヤレス通信デバイス。
【請求項２５】
ネットワークスライスの前記セットのネットワークスライスが、単一ネットワークスライス選択支援情報（Ｓ−ＮＳＳＡＩ）によって識別される、請求項２４に記載のワイヤレス通信デバイス。
【請求項２６】
許容ネットワークスライスが許容Ｓ−ＮＳＳＡＩによって識別される、請求項２５に記載のワイヤレス通信デバイス。
【請求項２７】
前記ネットワークスライスに対応するセッション管理機能（ＳＭＦ）を選択するために、前記Ｓ−ＮＳＳＡＩが前記ＡＭＦによって使用される、請求項２５に記載のワイヤレス通信デバイス。
【請求項２８】
ワイヤレス通信デバイスであって、
命令を記憶するメモリと、
前記メモリと通信しているプロセッサとを備え、
セッション管理機能（ＳＭＦ）選択機能が、ネットワークスライスのセットと発展型パケットコア（ＥＰＣ）の中の専用コアネットワーク（ＤＣＮ）との間のマッピングを考慮して、アクセスおよびモビリティ管理機能（ＡＭＦ）が、ネットワークスライスに対応するユーザ機器（ＵＥ）に対してパケットデータ単位（ＰＤＵ）セッションを確立するためのＳＭＦを選択することを確実にすることを可能にし、
前記ＳＭＦ選択機能を適用するために、
前記プロセッサが前記命令を実行するように構成される、ワイヤレス通信デバイス。
【請求項２９】
前記ＵＥが前記ＰＤＵセッションを前記ＥＰＣに移動させるとともに、特定のＤＣＮがネットワークスライスの前記セットと前記ＤＣＮとの間の前記マッピングに基づいて前記ＵＥにサービスするための選択であるとき、前記マッピングが、前記ＳＭＦが前記ＰＤＵセッションに対する接続性管理をサポートし続けることを確実にする、請求項２４に記載のワイヤレス通信デバイス。
【請求項３０】
ワイヤレス通信デバイスであって、
命令を記憶するメモリと、
前記メモリと通信しているプロセッサとを備え、
許容単一ネットワークスライス選択支援情報（Ｓ−ＮＳＳＡＩ）に基づいてアクセスおよびモビリティ管理機能（ＡＭＦ）によって設定された一時的ユーザ機器（ＵＥ）使用タイプを用いて、ホーム加入者サーバ（ＨＳＳ）の中に保持される加入済みＵＥ使用タイプを増補し、
前記許容Ｓ−ＮＳＳＡＩが前記ＵＥに割り振られるときに前記一時的ＵＥ使用タイプを前記ＨＳＳに提供するために、
前記プロセッサが前記命令を実行するように構成される、ワイヤレス通信デバイス。
【請求項３１】
前記加入済みＵＥ使用タイプに加えて前記一時的ＵＥ使用タイプを前記ＨＳＳの中に記憶するように、前記プロセッサがさらに構成される、
請求項３０に記載のワイヤレス通信デバイス。
【請求項３２】
前記ＵＥ使用タイプをモビリティ管理エンティティ（ＭＭＥ）に提供するとき、前記ＨＳＳが、記憶された一時的ＵＥ使用タイプを有する場合、前記ＨＳＳが前記一時的ＵＥ使用タイプを提供する、請求項３０に記載のワイヤレス通信デバイス。
【発明の詳細な説明】
【技術分野】
【０００１】
関連出願の相互参照
[0001]本出願は、その全体が参照により本明細書に明確に組み込まれる、２０１８年８月３０日に出願された「Ａ  ＭＥＣＨＡＮＩＳＭ  ＴＯ  ＥＮＡＢＬＥ  ＩＮＴＥＲＷＯＲＫＩＮＧ  ＢＥＴＷＥＥＮ  ＮＥＴＷＯＲＫ  ＳＬＩＣＩＮＧ  ＡＮＤ  ＥＶＯＬＶＥＤ  ＰＡＣＫＥＴ  ＣＯＲＥ  ＣＯＮＮＥＣＴＩＶＩＴＹ」と題する米国非仮出願第１６／１１７，７３８号、および２０１７年１０月１９日に出願された「Ａ  ＭＥＣＨＡＮＩＳＭ  ＴＯ  ＥＮＡＢＬＥ  ＩＮＴＥＲＷＯＲＫＩＮＧ  ＢＥＴＷＥＥＮ  ５ＧＳ  ＮＥＴＷＯＲＫ  ＳＬＩＣＩＮＧ  ＡＮＤ  ＥＰＣ  ＣＯＮＮＥＣＴＩＶＩＴＹ」と題する米国仮出願第６２／５７４，６１５号の利益を主張する。
【０００２】
[0002]本開示の態様は、一般に、ワイヤレス通信ネットワークに関し、より詳細には、第５世代システム（５ＧＳ：fifth generation system）ネットワークスライシングと発展型パケットコア（ＥＰＣ：evolved packet core）接続性との間の相互作用を可能にするためのメカニズムに関する。
【背景技術】
【０００３】
[0003]ワイヤレス通信ネットワークは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびシングルキャリア周波数分割多元接続（ＳＣ−ＦＤＭＡ）システムを含む。
【０００４】
[0004]これらの多元接続技術は、異なるワイヤレスデバイスが都市、国家、地域、さらには地球規模で通信することを可能にする共通プロトコルを提供するために、様々な電気通信規格において採用されている。たとえば、第５世代（５Ｇ）ワイヤレス通信技術（ニューラジオ（ＮＲ：new radio）と呼ばれることがある）は、現在のモバイルネットワーク世代に対して多様な使用シナリオと用途とを拡張およびサポートするものと想定される。一態様では、５Ｇ通信技術は、マルチメディアコンテンツ、サービス、およびデータへのアクセスのための人間中心使用事例に対処する拡張モバイルブロードバンドと、レイテンシおよび信頼性についてのいくつかの仕様を有する超高信頼低レイテンシ通信（ＵＲＬＬＣ：ultra-reliable-low latency communication）と、極めて多数の接続デバイスおよび比較的少量の非遅延敏感情報(non-delay-sensitive information)の送信を可能にすることができるマッシブマシンタイプ通信とを含むことができる。しかしながら、モバイルブロードバンドアクセスに対する需要が増加し続けるにつれて、ＮＲ通信技術以降におけるさらなる改善が望まれることがある。
【０００５】
[0005]たとえば、ＮＲ通信技術以降に対して、５ＧＳネットワークスライシングとＥＰＣ（たとえば、第４世代（４Ｇ）ワイヤレス通信技術のためのサポート）接続性との間の現在の相互作用の解決策は、サポートされないことがあり、または効率的な動作のための所望のレベルの速度もしくはカスタマイゼーションを提供しないことがある。したがって、ワイヤレス通信動作における改善が望まれることがある。
【発明の概要】
【０００６】
[0006]以下のことは、１つまたは複数の態様の基本的理解を与えるために、そのような態様の簡略化された概要を提示する。本概要は、すべての企図される態様の広範な概観ではなく、すべての態様の主要または重要な要素を識別するものでも、いずれかまたはすべての態様の範囲を定めるものでもない。本概要の唯一の目的は、後で提示されるより詳細な説明の前置きとして、１つまたは複数の態様のいくつかの概念を簡略化された形で提示することである。
【０００７】
[0007]一態様では、本開示は、たとえば、ネットワークスライスを使用するユーザ機器（ＵＥ）が５Ｇネットワークと４Ｇネットワークとの間を移動するときに、既存のパケットデータ単位（ＰＤＵ）セッションが保持され、欠落されないような、５ＧＳネットワークスライシングとＥＰＣ（たとえば、４Ｇのためのサポート）接続性との間の相互作用を可能にするための技法またはメカニズムを含む。別の態様では、本開示は、たとえば、ネットワークスライスを使用するＵＥが５Ｇネットワークと４Ｇネットワークとの間を移動するときにネットワークスライスへの接続性を提供する既存のＰＤＵセッションが、ネットワークスライスによって提供される同じサービスをサポートする専用ＥＰＣコアネットワークに接続されるような、５ＧＳネットワークスライシングとＥＰＣ（たとえば、４Ｇのためのサポート）接続性との間の相互作用を可能にする技法またはメカニズムを含む。
【０００８】
[0008]別の態様では、一例として、ＥＰＣの中で使用されるアクセスポイント名（ＡＰＮ：access point name）が５Ｇネットワークの中で使用されるデータネットワーク名（ＤＮＮ：data network name）とは異なるときに、ＤＮＮに、およびＵＥがＥＰＣに接続されるときに使用されるべきＡＰＮに、ネットワークスライス選択ポリシー（ＮＳＳＰ：Network Slice Selection Policy）がネットワークスライスへのアプリケーションをマッピングすることを可能にすることと、アプリケーションをマッピングすることとを含む、ワイヤレス通信の方法が説明される。
【０００９】
[0009]別の態様では、ＵＥがＥＰＣに移動することに応答して、またはＵＥがＥＰＣの中にある間に新たなパケットデータネットワーク（ＰＤＮ：packet data network）接続が作成されることに応答して、ＵＥ機能が、アクティブなＰＤＮ接続と対応する単一ネットワークスライス選択支援情報（Ｓ−ＮＳＳＡＩ：single network slice selection assistance information）との間のマッピングを保持することを可能にすることと、登録プロシージャ中にマッピングについての情報をアクセスおよびモビリティ管理機能（ＡＭＦ：access and mobility management function）に提供することとを含む、ワイヤレス通信の方法が説明される。
【００１０】
[0010]また別の態様では、様々なネットワークスライスへの接続性をサポートするＡＭＦが、ＵＥに対してネットワークによって許容されるネットワークスライスのリストの中の（すなわち、ＵＥに割り当てられた許容Ｓ−ＮＳＳＡＩの中の）（たとえば、各々がＳ−ＮＳＳＡＩによって識別される）ネットワークスライスのセットから、ＥＰＣの中の特定の専用コアネットワーク（ＤＣＮ：dedicated core network）までの間の、マッピングを用いて構成されることを可能にすることと、マッピングを適用することとを含む、ワイヤレス通信の方法が説明される。
【００１１】
[0011]別の態様では、セッション管理機能（ＳＭＦ：session management function）選択機能が、ＵＥがＰＤＵセッションをＥＰＣに移動させるとともに、特定のＤＣＮがネットワークスライスとＤＣＮとの間のマッピングに基づいてＵＥにサービスするために選択されるとき、ＳＭＦがＰＤＵセッションに対する接続性管理をサポートし続け得ることを確実にするために、（たとえば、各々がＳ−ＮＳＳＡＩによって識別される）ネットワークスライスのセットとＥＰＣの中のＤＣＮとの間のマッピングを考慮して、ＡＭＦが、（たとえば、Ｓ−ＮＳＳＡＩによって識別される）ネットワークスライスに対応するＵＥに対してＰＤＵセッションを確立するためのＳＭＦを選択することを確実にすることを可能にすることと、ＳＭＦ選択機能を適用することとを含む、ワイヤレス通信の方法が説明される。
【００１２】
[0012]別の態様では、許容Ｓ−ＮＳＳＡＩに基づいてＡＭＦによって設定された一時的ＵＥ使用タイプを用いて、ホーム加入者サーバ（ＨＳＳ：home subscriber server）の中に保持される加入済みＵＥ使用タイプを増補することと、許容Ｓ−ＮＳＳＡＩがＵＥに割り振られるときに一時的ＵＥ使用タイプをＨＳＳに提供することと、加入済みＵＥ使用タイプに加えて一時的ＵＥ使用タイプをＨＳＳの中に記憶することと、ＵＥ使用タイプをモビリティ管理エンティティ（ＭＭＥ：mobility management entity）に提供するとき、ＨＳＳが、記憶された一時的ＵＥ使用タイプを有する場合、ＨＳＳが一時的ＵＥ使用タイプを提供することとを含む、ワイヤレス通信の方法が説明される。
【００１３】
[0013]別の態様では、トランシーバと、メモリと、メモリおよびトランシーバと通信しているプロセッサとを含む、ワイヤレス通信デバイスが説明され、プロセッサは、本明細書で説明する方法のうちのいずれかを実行するように構成される。
【００１４】
[0014]また別の態様では、本明細書で説明する方法のうちのいずれかを実行するための１つまたは複数の手段を含む、ワイヤレス通信デバイスが説明される。
【００１５】
[0015]また別の態様では、本明細書で説明する方法のうちのいずれかを実行するために実行可能な１つまたは複数のコードを含む、ワイヤレス通信のためにプロセッサによって実行可能なコンピュータコードを記憶するコンピュータ可読媒体が説明される。
【００１６】
[0016]その上、本開示はまた、上述の方法を実行するための構成要素を有するかもしくは実行するように構成された装置または実行するための手段、および上述の方法を実行するためにプロセッサによって実行可能な１つまたは複数のコードを記憶するコンピュータ可読媒体を含む。
【００１７】
[0017]上記および関係する目的を達成するために、１つまたは複数の態様は、以下で十分に説明され特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様とそれらの均等物とを含むものとする。
【００１８】
[0018]開示する態様は、添付の図面とともに以下で説明され、開示する態様を例示するために提供され、開示する態様を限定するものではなく、同様の名称は同様の要素を示す。
【図面の簡単な説明】
【００１９】
【図１】[0019]第５世代システム（５ＧＳ）ネットワークスライシングと発展型パケットコア（ＥＰＣ）接続性との間の相互作用に対して本開示に従って構成された相互作用構成要素を有する、少なくとも１つのユーザ機器（ＵＥ）を含むワイヤレス通信ネットワークの概略図。
【図２】[0020]５ＧＳとＥＰＣとの間の相互作用のための非ローミングアーキテクチャの一例を示すブロック図。
【図３】[0021]５ＧＳネットワークスライシングとＥＰＣ接続性との間の相互作用のための方法の一例のフロー図。
【図４】[0022]５ＧＳネットワークスライシングとＥＰＣ接続性との間の相互作用のための別の方法の一例のフロー図。
【図５】[0023]５ＧＳネットワークスライシングとＥＰＣ接続性との間の相互作用のための別の方法の一例のフロー図。
【図６】[0024]５ＧＳネットワークスライシングとＥＰＣ接続性との間の相互作用のための別の方法の一例のフロー図。
【図７】[0025]５ＧＳネットワークスライシングとＥＰＣ接続性との間の相互作用のためのまた別の方法の一例のフロー図。
【図８】[0026]図１のＵＥの例示的な構成要素の概略図。
【図９】[0027]５ＧＳネットワークスライシングとＥＰＣ接続性との間の相互作用を可能にするためのネットワーキングデバイスの例示的な構成要素の概略図。
【発明を実施するための形態】
【００２０】
[0028]様々な態様が、ここで図面を参照しながら説明される。以下の説明では、説明の目的のために、１つまたは複数の態様の完全な理解を与えるために数多くの具体的な詳細が記載される。しかしながら、そのような態様がこれらの具体的な詳細なしに実践され得ることが明らかであり得る。追加として、本明細書で使用する「構成要素」という用語は、システムを構成する部分のうちの１つであってよく、ハードウェア、ファームウェア、および／またはコンピュータ可読媒体上に記憶されたソフトウェアであってよく、他の構成要素に分割されてよい。
【００２１】
[0029]本開示は、概して、たとえば、ネットワークスライスを使用するユーザ機器（ＵＥ）が５Ｇネットワークと４Ｇネットワークとの間を移動するときに、既存のパケットデータ単位（ＰＤＵ）セッションが保持され、欠落されないような、第５世代システム（５ＧＳ）ネットワークスライシングと発展型パケットコア（ＥＰＣ）（たとえば、第４世代（４Ｇ）のためのサポート）接続性との間の相互作用を可能にするための技法またはメカニズムに関する。別の態様では、本開示は、たとえば、ネットワークスライスを使用するＵＥが５Ｇネットワークと４Ｇネットワークとの間を移動し、ネットワークスライスによって提供される同じサービスをサポートする専用ＥＰＣコアネットワークに接続されるときに、既存のＰＤＵセッションがネットワークスライスへの接続性を提供するような、５ＧＳネットワークスライシングとＥＰＣ（たとえば、４Ｇのためのサポート）接続性との間の相互作用を可能にするための技法またはメカニズムを含む。
【００２２】
[0030]５Ｇネットワークにおけるスライシングの複雑な機能の導入とともに、完全な５Ｇ無線アクセスネットワーク（ＲＡＮ：radio access network）カバレージを有しないか、またはいくつかのサービスがＥＰＣの中でしか利用可能でない、ネットワークの中のデバイスのためのＥＰＣとの相互作用は、ＥＰＣが（１）専用コアネットワーク概念をサポートしないとき、（２）Ｄｅｃｏｒを介して専用コアネットワーク（ＤＣＮ）をサポートするとき、（３）ｅＤｅｃｏｒ（すなわち、ＵＥ支援型Ｄｅｃｏｒ）を介してＤＣＮをサポートするとき、５ＧＣの中のスライシングの機能がどのように相互作用するのかを考慮しなければならない。詳細には、ＥＰＣがネットワークスライスの概念を有さず、ネットワークスライシングコンテキストがＥＰＣネットワーク機能によって保持またはサポートされ得ないので、（１）ＵＥがＥＰＣに移動するときにＵＥのための５Ｇコアネットワーク（５ＧＣ：5G core network）の中の許容ネットワークスライスのセットがどのように１つのＤＣＮ上にマッピングされるのか、またはＤＣＮを有しないＥＰＣにＵＥが移動するときにそれらがどのように処理されるのかを規定し、（２）５ＧＣの中で共存できるが異なるＤＣＮにマッピングするセットがＥＰＣへのモビリティにおいてどのように処理されるのかを規定し、また（３）ＵＥがＥＰＣから５ＧＣに移動するときにＥＰＣへの接続性がどのようにネットワークスライスにマッピングされるのかを規定するための、解決策が必要とされる。
【００２３】
[0031]上述の問題に対して本明細書で説明する解決策は、様々な構成要素または態様を導入する。
【００２４】
[0032]（１）アプリケーションを、ネットワークスライス（たとえば、単一ネットワークスライス選択支援情報（Ｓ−ＮＳＳＡＩ））およびデータネットワーク名（ＤＮＮ）にだけでなく、ＵＥがＥＰＣの中にあるときに使用されるべきアクセスポイント名（ＡＰＮ）にもマッピングするように、ネットワークスライス選択ポリシー（ＮＳＳＰ）を拡張する。
【００２５】
[0033]（２）ＵＥがＥＰＣに移動するときに、またはＵＥがＥＰＣの中にある間に新たなＰＤＮ接続が作成されるときに、アクティブなパケットデータネットワーク（ＰＤＮ）接続と対応するＳ−ＮＳＳＡＩとの間のマッピングを保持するように、ＵＥ機能を拡張する。ＵＥは、ＥＰＣから５ＧＣに移動するときにそのような情報を使用し、それをルーティング管理（ＲＭ：routing management）プロシージャ（たとえば、登録プロシージャ）中にアクセスおよびモビリティ管理機能（ＡＭＦ）に提供する。
【００２６】
[0034]（３）ＵＥに割り当てられた許容Ｓ−ＮＳＳＡＩの中のＳ−ＮＳＳＡＩのセットからＥＰＣの中のＤＣＮまでの間のマッピングを用いて構成されるように、ＡＭＦを拡張する。
【００２７】
[0035]（４）ＡＭＦがＳ−ＮＳＳＡＩとＤＣＮとの間のマッピングを考慮してＳＭＦを選択することを確実にするように、セッション管理機能（ＳＭＦ）選択機能を拡張する。
【００２８】
[0036]（５）許容ＮＳＳＡＩに基づいてＡＭＦによって設定されるとともに、許容ＮＳＳＡＩがＵＥに割り振られるときにＨＳＳにプッシュされる、一時的ＵＥ使用タイプを用いて、ホーム加入者サーバ（ＨＳＳ）の中に保持されるＵＥ使用タイプが増補されることを確実にする。モビリティ管理エンティティ（ＭＭＥ）がＵＥ使用タイプをＨＳＳに尋ねるとき、一時的ＵＥ使用タイプが設定されている場合、ＨＳＳはそのような値を提供する。このようにして、ＭＭＥは、加入情報のみならず動的情報に基づいて、ＵＥにサービスするＤＣＮを選択することができる。
【００２９】
[0037]本態様の追加の特徴が、図１〜図９に関して以下でより詳細に説明される。
【００３０】
[0038]本明細書で説明する技法が、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信ネットワークのために使用され得ることに留意されたい。「システム」および「ネットワーク」という用語は、しばしば、互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、ワイドバンドＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル移動体電気通信システム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、共有無線周波数スペクトル帯域を介したセルラー（たとえば、ＬＴＥ）通信を含む、上述のシステムおよび無線技術ならびに他のシステムおよび無線技術のために使用され得る。しかしながら、以下の説明は、例としてＬＴＥ／ＬＴＥ−Ａシステムを説明し、以下の説明の大部分においてＬＴＥ用語が使用されるが、本技法はＬＴＥ／ＬＴＥ−Ａの用途以外に（たとえば、５Ｇネットワークまたは他の次世代通信システムに）適用可能である。
【００３１】
[0039]以下の説明は、例を与えるものであり、特許請求の範囲に記載される範囲、適用可能性、または例を限定するものではない。本開示の範囲から逸脱することなく、説明する要素の機能および構成において変更が加えられてよい。様々な例は、適宜に、様々な手順または構成要素を省略、置換、または追加してよい。たとえば、説明する方法は、説明する順序とは異なる順序で実行されてよく、様々なステップが追加されるか、省略されるか、または組み合わせられてよい。また、いくつかの例に関して説明する特徴は、他の例では組み合わせられてよい。
【００３２】
[0040]図１を参照すると、本開示の様々な態様によれば、例示的なワイヤレス通信ネットワーク１００は、５ＧＳネットワークスライシングとＥＰＣ接続性との間の相互作用を可能にするメカニズムをサポートするように構成された、相互作用構成要素１５０を有するモデム１４０を伴う少なくとも１つのＵＥ１１０を含む。いくつかの態様では、相互作用構成要素１５０は、アプリケーションマッピング構成要素１５２、マッピング管理構成要素１５４、ＳＭＦ選択機能構成要素１５６、および／または使用タイプ構成要素１５８を含む、１つまたは複数の下位構成要素を含んでよい。一例では、アプリケーションマッピング構成要素１５２は、ＤＮＮに、およびＵＥがＥＰＣに接続されるときに使用されるべきＡＰＮに、ＮＳＳＰがネットワークスライスへのアプリケーションをマッピングすることを可能にし、アプリケーションをマッピングするように構成される。一例では、マッピング管理構成要素１５４は、ＵＥがＥＰＣに移動することに応答して、またはＵＥがＥＰＣの中にある間に新たなＰＤＮ接続が作成されることに応答して、ＵＥ機能が、アクティブなＰＤＮ接続と対応するＳ−ＮＳＳＡＩとの間のマッピングを保持することを可能にし、登録プロシージャ中にマッピングについての情報をＡＭＦに提供するように構成される。別の例では、マッピング管理構成要素１５４は、様々なネットワークスライスへの接続性をサポートするアクセスおよびモビリティ管理機能（ＡＭＦ）が、ＵＥに対してネットワークによって許容されるネットワークスライスのリストの中のネットワークスライスのセットから、発展型パケットコア（ＥＰＣ）の中の特定の専用コアネットワーク（ＤＣＮ）までの間の、マッピングを用いて構成されることを可能にし、マッピングを適用するように構成される。
【００３３】
[0041]別の例では、ＳＭＦ選択機能構成要素１５６は、セッション管理機能（ＳＭＦ）選択機能が、ネットワークスライスのセットと発展型パケットコア（ＥＰＣ）の中の専用コアネットワーク（ＤＣＮ）との間のマッピングを考慮して、アクセスおよびモビリティ管理機能（ＡＭＦ）が、ネットワークスライスに対応するユーザ機器（ＵＥ）に対してパケットデータ単位（ＰＤＵ）セッションを確立するためのＳＭＦを選択することを確実にすることを可能にし、ＳＭＦ選択機能を適用するように構成される。
【００３４】
[0042]別の例では、使用タイプ構成要素１５８は、許容単一ネットワークスライス選択支援情報（Ｓ−ＮＳＳＡＩ）に基づいてアクセスおよびモビリティ管理機能（ＡＭＦ）によって設定された一時的ユーザ機器（ＵＥ）使用タイプを用いて、ホーム加入者サーバ（ＨＳＳ）の中に保持される加入済みＵＥ使用タイプを増補し、許容Ｓ−ＮＳＳＡＩがＵＥに割り振られるときに一時的ＵＥ使用タイプをＨＳＳに提供する。
【００３５】
[0043]さらに、ワイヤレス通信ネットワーク１００は、５ＧＳネットワークスライシングとＥＰＣ接続性との間の相互作用をサポートするためにネットワーク関連動作を実行する少なくとも１つのネットワークデバイス（たとえば、図９を参照）相互作用構成要素９５０（図示せず）を含む。
【００３６】
[0044]ワイヤレス通信ネットワーク１００は、１つまたは複数の基地局１０５と、１つまたは複数のＵＥ１１０と、コアネットワーク１１５とを含んでよい。コアネットワーク１１５は、ユーザ認証と、アクセス許可と、トラッキングと、インターネットプロトコル（ＩＰ）接続性と、他のアクセス機能、ルーティング機能、またはモビリティ機能とを提供し得る。基地局１０５は、バックホールリンク１２０（たとえば、Ｓ１など）を通じてコアネットワーク１１５とインターフェースし得る。基地局１０５は、ＵＥ１１０との通信のための無線構成とスケジューリングとを実行し得るか、または基地局コントローラ（図示せず）の制御下で動作し得る。様々な例では、基地局１０５は、有線通信リンクまたはワイヤレス通信リンクであり得るバックホールリンク１２５（たとえば、Ｘ１など）を介して、直接または間接的に（たとえば、コアネットワーク１１５を通じて）のいずれかで互いに通信し得る。
【００３７】
[0045]基地局１０５は、１つまたは複数の基地局アンテナを介してＵＥ１１０とワイヤレス通信し得る。基地局１０５の各々は、それぞれの地理的カバレージエリア１３０に通信カバレージを提供し得る。いくつかの例では、基地局１０５は、トランシーバ基地局、無線基地局、アクセスポイント、アクセスノード、無線トランシーバ、ノードＢ、ｅノードＢ（ｅＮＢ）、ｇＮＢ、ホームノードＢ、ホームｅノードＢ、リレー、またはいくつかの他の好適な用語で呼ばれることがある。基地局１０５のための地理的カバレージエリア１３０は、カバレージエリアの一部分のみを構成するセクタまたはセルに分割されてよい（図示せず）。ワイヤレス通信ネットワーク１００は、異なるタイプの基地局１０５（たとえば、以下で説明するマクロ基地局またはスモールセル基地局）を含んでよい。追加として、複数の基地局１０５は、複数の通信技術（たとえば、５Ｇ（ニューラジオ(New Radio)すなわち「ＮＲ」）、４Ｇ／ＬＴＥ、３Ｇ、Ｗｉ−Ｆｉ、Ｂｌｕｅｔｏｏｔｈ（登録商標）など）のうちの様々な通信技術に従って動作してよく、したがって、異なる通信技術のためのオーバーラップする地理的カバレージエリア１３０があり得る。
【００３８】
[0046]いくつかの例では、ワイヤレス通信ネットワーク１００は、ＮＲもしくは５Ｇ技術、ＬＴＥ、ＬＴＥ−ＡもしくはＭｕＬＴＥｆｉｒｅ技術、Ｗｉ−Ｆｉ技術、Ｂｌｕｅｔｏｏｔｈ技術、または任意の他の長距離もしくは短距離のワイヤレス通信技術を含む、通信技術のうちの１つまたは任意の組合せであってよく、またはそれらを含んでもよい。ＬＴＥ／ＬＴＥ−Ａ／ＭｕＬＴＥｆｉｒｅネットワークでは、発展型ノードＢ（ｅＮＢまたはノードＢ）という用語は、一般に、基地局１０５を表すために使用されてよく、ＵＥという用語は、一般に、ＵＥ１１０を表すために使用されてよい。ワイヤレス通信ネットワーク１００は、異なるタイプのｅＮＢが様々な地理的領域にカバレージを提供する異種技術ネットワークであってよい。たとえば、各ｅＮＢまたは基地局１０５は、マクロセル用、スモールセル用、または他のタイプのセル用の通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ用語である。
【００３９】
[0047]マクロセルは、概して、比較的大きい地理的エリア（たとえば、半径数キロメートル）をカバーしてよく、ネットワークプロバイダのサービスに加入しているＵＥ１１０による無制限アクセスを可能にし得る。
【００４０】
[0048]スモールセルは、マクロセルと同じかまたは異なる周波数帯域（たとえば、認可、無認可など）の中で動作し得る、マクロセルと比較して低い相対送信電力の基地局を含んでよい。スモールセルは、様々な例によれば、ピコセルと、フェムトセルと、マイクロセルとを含んでよい。ピコセルは、たとえば、小さい地理的エリアをカバーしてよく、ネットワークプロバイダのサービスに加入しているＵＥ１１０による無制限アクセスを可能にし得る。フェムトセルも、小さい地理的エリア（たとえば、自宅）をカバーしてよく、フェムトセルとの関連付けを有するＵＥ１１０（たとえば、制限付きアクセス事例では、自宅の中のユーザ用のＵＥ１１０を含んでよい、基地局１０５の限定加入者グループ（ＣＳＧ）の中のＵＥ１１０など）による制限付きアクセスおよび／または無制限アクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００４１】
[0049]開示する様々な例のうちのいくつかに対応し得る通信ネットワークは、階層化プロトコルスタックに従って動作するパケットベースネットワークであってよく、ユーザプレーンの中のデータは、ＩＰに基づいてよい。ユーザプレーンプロトコルスタック（たとえば、パケットデータコンバージェンスプロトコル（ＰＤＣＰ）、無線リンク制御（ＲＬＣ）、ＭＡＣなど）は、論理チャネルを介して通信するためにパケットセグメント化と再アセンブリとを実行し得る。たとえば、ＭＡＣレイヤは、優先度処理と、トランスポートチャネルへの論理チャネルの多重化とを実行し得る。ＭＡＣレイヤはまた、ＭＡＣレイヤにおいて再送信を行ってリンク効率を改善するために、ハイブリッド自動再送／要求（ＨＡＲＱ）を使用し得る。制御プレーンでは、ＲＲＣプロトコルレイヤが、ＵＥ１１０と基地局１０５との間のＲＲＣ接続の確立と構成と保守とを提供し得る。ＲＲＣプロトコルレイヤはまた、ユーザプレーンデータに対する無線ベアラのコアネットワーク１１５サポートのために使用され得る。物理（ＰＨＹ）レイヤにおいて、トランスポートチャネルは物理チャネルにマッピングされ得る。
【００４２】
[0050]ＵＥ１１０は、ワイヤレス通信ネットワーク１００全体にわたって分散されてよく、各ＵＥ１１０は固定またはモバイルであってよい。ＵＥ１１０はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、またはいくつかの他の好適な用語を含んでよく、または当業者によってそのように呼ばれることがある。ＵＥ１１０は、セルラーフォン、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、スマートウォッチ、ワイヤレスローカルループ（ＷＬＬ）局、エンターテインメントデバイス、車両構成要素、顧客構内機器（ＣＰＥ）、またはワイヤレス通信ネットワーク１００の中で通信することが可能な任意のデバイスであってよい。追加として、ＵＥ１１０は、いくつかの態様では、ワイヤレス通信ネットワーク１００または他のＵＥとまれに通信することがある、モノのインターネット（ＩｏＴ）および／またはマシンツーマシン（Ｍ２Ｍ）タイプのデバイス、たとえば、（たとえば、ワイヤレスフォンに比べて）低電力低データレートタイプのデバイスであってよい。ＵＥ１１０は、マクロｅＮＢ、スモールセルｅＮＢ、マクロｇＮＢ、スモールセルｇＮＢ、中継基地局などを含む、様々なタイプの基地局１０５およびネットワーク機器と通信できる場合がある。
【００４３】
[0051]ＵＥ１１０は、基地局１０５のうちの１つまたは複数との１つまたは複数のワイヤレス通信リンク１３５を確立するように構成され得る。ワイヤレス通信ネットワーク１００の中に示すワイヤレス通信リンク１３５は、ＵＥ１１０から基地局１０５へのアップリンク（ＵＬ）送信、または基地局１０５からＵＥ１１０へのダウンリンク（ＤＬ）送信を搬送し得る。ＤＬ送信は順方向リンク送信と呼ばれることもあり、ＵＬ送信は逆方向リンク送信と呼ばれることもある。各ワイヤレス通信リンク１３５は、１つまたは複数のキャリアを含んでよく、ここで、各キャリアは、上記で説明した様々な無線技術に従って変調された複数のサブキャリア（たとえば、異なる周波数の波形信号）から構成された信号であってよい。各被変調信号は、異なるサブキャリア上で送られてよく、制御情報（たとえば、基準信号、制御チャネルなど）、オーバーヘッド情報、ユーザデータなどを搬送し得る。一態様では、ワイヤレス通信リンク１３５は、（たとえば、対スペクトルリソースを使用する）周波数分割複信（ＦＤＤ）動作または（たとえば、不対スペクトルリソースを使用する）時分割複信（ＴＤＤ）動作を使用して、双方向通信を送信し得る。フレーム構造が、ＦＤＤ（たとえば、フレーム構造タイプ１）およびＴＤＤ（たとえば、フレーム構造タイプ２）に対して規定され得る。その上、いくつかの態様では、ワイヤレス通信リンク１３５は、１つまたは複数のブロードキャストチャネルを表してよい。
【００４４】
[0052]ワイヤレス通信ネットワーク１００のいくつかの態様では、基地局１０５またはＵＥ１１０は、アンテナダイバーシティ方式を採用して基地局１０５とＵＥ１１０との間の通信品質と信頼性とを改善するために、複数のアンテナを含んでよい。追加または代替として、基地局１０５またはＵＥ１１０は、同じかまたは異なるコード化データを搬送する複数の空間レイヤを送信するためにマルチパス環境を利用し得る、多入力多出力（ＭＩＭＯ）技法を採用してよい。
【００４５】
[0053]ワイヤレス通信ネットワーク１００は、複数のセル上またはキャリア上での動作をサポートしてよく、その機能はキャリアアグリゲーション（ＣＡ）またはマルチキャリア動作と呼ばれることがある。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１０は、キャリアアグリゲーションのために複数のダウンリンクＣＣおよび１つまたは複数のアップリンクＣＣを用いて構成され得る。ＣＡは、ＦＤＤコンポーネントキャリアとＴＤＤコンポーネントキャリアの両方とともに使用され得る。基地局１０５およびＵＥ１１０は、各方向での送信のために使用される合計Ｙｘ  ＭＨｚ（ｘ＝コンポーネントキャリアの本数）までのキャリアアグリゲーションにおいて割り振られた、キャリア当りＹ  ＭＨｚ（たとえば、Ｙ＝５、１０、１５、または２０ＭＨｚ）帯域幅までのスペクトルを使用し得る。キャリアは互いに隣接することもしないこともある。キャリアの割振りは、ＤＬおよびＵＬに関して非対称であってよい（たとえば、ＵＬに対するよりも多数または少数のキャリアが、ＤＬに対して割り振られてよい）。ＣＣは、１次ＣＣと１つまたは複数の２次ＣＣとを含んでよい。１次ＣＣは１次セル（ＰＣｅｌｌ）と呼ばれることがあり、２次ＣＣは２次セル（ＳＣｅｌｌ）と呼ばれることがある。
【００４６】
[0054]ワイヤレス通信ネットワーク１００は、免許不要(unlicensed)周波数スペクトル（たとえば、５ＧＨｚ）の中の通信リンクを介して、Ｗｉ−Ｆｉ技術に従って動作するＵＥ１１０、たとえば、Ｗｉ−Ｆｉステーション（ＳＴＡ）と通信している、Ｗｉ−Ｆｉ技術に従って動作する基地局１０５、たとえば、Ｗｉ−Ｆｉアクセスポイントをさらに含んでよい。無認可周波数スペクトルの中で通信するとき、ＳＴＡおよびＡＰは、チャネルが利用可能であるかどうかを決定するために、通信する前にクリアチャネルアセスメント（ＣＣＡ）プロシージャまたはリッスンビフォアトーク（ＬＢＴ）プロシージャを実行し得る。
【００４７】
[0055]追加として、基地局１０５および／またはＵＥ１１０のうちの１つまたは複数は、ミリ波（ｍｍＷまたはｍｍｗａｖｅ）技術と呼ばれるＮＲ技術または５Ｇ技術に従って動作し得る。たとえば、ｍｍＷ技術は、ｍｍＷ周波数の中および／またはｍｍＷ周波数の近くの送信を含む。極高周波（ＥＨＦ）は、電磁スペクトルの中の無線周波数（ＲＦ）の一部である。ＥＨＦは、３０ＧＨｚ〜３００ＧＨｚの範囲と、１ミリメートルと１０ミリメートルとの間の波長とを有する。この帯域の中の電波はミリ波と呼ばれることがある。準ｍｍＷは、１００ミリメートルの波長を有する３ＧＨｚの周波数まで下に延びてよい。たとえば、超高周波（ＳＨＦ）帯域は、３ＧＨｚと３０ＧＨｚとの間に及び、センチメートル波と呼ばれることもある。ｍｍＷおよび／または準ｍｍＷ無線周波数帯域を使用する通信は、極めて経路損失が大きく距離が短い。したがって、ｍｍＷ技術に従って動作する基地局１０５および／またはＵＥ１１０は、極めて大きい経路損失および短距離を補償するために、それらの送信においてビームフォーミングを利用してよい。
【００４８】
[0056]５ＧＳネットワークスライシングとＥＰＣ（たとえば、４Ｇのためのサポート）接続性との間の相互作用を可能にするための技法またはメカニズムの、様々な態様に関係する追加の詳細が以下で説明される。
ＥＰＣの中のＤＣＮ
[0057]４Ｇシステムの場合、ＥＰＣは専用コアネットワークすなわちＤＥＣＯＲをサポートする。この機能は、事業者がパブリックランドモバイルネットワーク（ＰＬＭＮ）内に複数のＤＣＮを展開することを可能にし、各ＤＣＮは１つまたは複数のコアネットワーク（ＣＮ）ノードからなる。各ＤＣＮは、特定のタイプの加入者にサービスするために専用であってよい。このことは随意の機能であり、１つまたは複数の無線アクセス技術（ＲＡＴ）（たとえば、ＧＳＭエボリューションのためのモバイル通信用グローバルシステム（ＧＳＭ）拡張データレート（ＥＤＧＥ）無線アクセスネットワーク（ＧＥＲＡＮ）、ユニバーサル地上波無線アクセスネットワーク（ＵＴＲＡＮ）、発展型ＵＴＲＡＮ（Ｅ−ＵＴＲＡＮ）、広帯域Ｅ−ＵＴＲＡＮ（ＷＢ−Ｅ−ＵＴＲＡＮ）および狭帯域モノのインターネット（ＮＢ−ＩｏＴ））のためにＤＣＮが展開されることを可能にする。特定のＵＥまたは加入者（たとえば、マシンツーマシン（Ｍ２Ｍ）加入者、特定の企業または別個の管理領域に属する加入者など）を隔離するために、ＤＣＮを展開するためのいくつかの動機づけ、たとえば、ＤＣＮに特定の特性／機能またはスケーリングを与えることがあり得る。ＵＥが、一般に、一度に１つのＤＣＮにしか接続されないことを理解されたい。
【００４９】
[0058]ＤＣＮは、１つまたは複数のＭＭＥ／サービング汎用パケット無線サービス（ＧＰＲＳ）サポートノード（ＳＧＳＮ）を備え、１つまたは複数のサービングゲートウェイ（ＳＧＷ：serving gateway）／ＰＤＮゲートウェイ（ＰＧＷ：PDN gateway）／ポリシーおよび変更規則機能（ＰＣＲＦ：policy and changing rules function）のものを備えてよい。この機能は、加入情報（「ＵＥ使用タイプ」）に基づいて、加入者がＤＣＮに割り振られるとともにＤＣＮによってサービスされることを可能にする。この機能は、いかなる特定のＵＥ機能も用いずに両方のＤＣＮ選択を処理し、すなわち、ＵＥとともにより早期の解放およびＵＥ支援型ＤＣＮ選択の働きもする。特定の主な機能は、それらのそれぞれのＤＣＮの中でＵＥをルーティングおよび保持するためのものである。ＤＣＮに対して以下の展開シナリオがサポートされる。いくつかの展開シナリオでは、１つのＲＡＴのみをサポートするように（たとえば、専用のＭＭＥのみがＥ−ＵＴＲＡＮをサポートするように展開され、専用のＳＧＳＮは展開されない）、複数のＲＡＴをサポートするように、またはすべてのＲＡＴをサポートするように、ＤＣＮが展開されてよい。
【００５０】
[0059]いくつかの展開シナリオでは、ＤＣＮを展開するネットワークはデフォルトＤＣＮを有してよく、デフォルトＤＣＮは、ＤＣＮがそれに対して利用可能でないＵＥ、またはＵＥをＤＣＮに割り当てるために十分な情報が利用可能でない場合のＵＥを管理している。同じＲＡＮをすべてが共有するデフォルトＤＣＮと一緒に、１つまたは複数のＤＣＮが展開されてよい。
【００５１】
[0060]いくつかの展開シナリオでは、アーキテクチャは、ＤＣＮがＰＬＭＮの一部の中でのみ（たとえば、１つのＲＡＴに対してのみ、またはＰＬＭＮエリアの一部の中でのみ）展開されるシナリオをサポートする。ＤＣＮのそのような不均一または部分的な展開は、事業者展開および構成に応じて、ＵＥが、ＤＣＮをサポートするサービスエリアまたはＲＡＴの内側にあるのかそれとも外側にあるのかに応じて、異なる特性または機能を有するサービスをもたらす結果となり得る。いくつかの例では、ＤＣＮの不均一または部分的な展開は、ＵＥが、最初にデフォルトＤＣＮの中のＣＮノードによってサービスされ、次いで、ＵＥがＤＣＮカバレージの外部のエリアからＤＣＮカバレージのエリアに移動すると、ＵＥにサービスするＤＣＮの中のＣＮノードへ方向転換されることが行われることを、増やす結果となり得る。そのことはまた、ネットワークの中での再アタッチレートを増大させる結果となり得る。このことが、ＤＣＮカバレージの縁部において展開されるデフォルトＣＮノードの、必要とされる容量に対する影響を有するので、不均一または部分的にＤＣＮを展開することは推奨されない。
【００５２】
[0061]いくつかの展開シナリオでは、ＰＬＭＮの特定のＲＡＴまたはサービスエリアをサービスするようにＤＣＮが展開されなくても、そのＲＡＴまたはサービスエリアの中のＵＥは、依然としてＤＣＮからのＰＧＷによってサービスされ得る。
【００５３】
[0062]ＤＣＮをサポートするための高レベルな概要が以下で提供される。いくつかの例では、随意の加入情報パラメータ（「ＵＥ使用タイプ」）が、ＤＣＮの選択の際に使用される。事業者は、自分のＤＣＮのうちのどれがどのＵＥ使用タイプをサービスするのかを構成する。ＨＳＳは、ＵＥの加入情報の中の「ＵＥ使用タイプ」値をＭＭＥ／ＳＧＳＮに提供する。ＵＥ使用タイプに対する標準化された値と事業者固有の値の両方が可能である。
【００５４】
[0063]いくつかの例では、サービングネットワークは、事業者が構成した（ＵＥ使用タイプからＤＣＮへの）マッピング、他の局所的に構成された事業者のポリシー、およびサービングネットワークにおいて利用可能なＵＥ関連のコンテキスト情報（たとえば、ローミングについての情報）に基づいて、ＤＣＮを選択する。異なるＵＥ使用タイプ値を有するＵＥが、同じＤＣＮによってサービスされてよい。その上、同じＵＥ使用タイプ値を共有するＵＥが、異なるＤＣＮによってサービスされてよい。
【００５５】
[0064]いくつかの例では、構成が加入情報の中の特定の「ＵＥ使用タイプ」値に対するＤＣＮを示さない場合、サービングＭＭＥ／ＳＧＳＮは、デフォルトＤＣＮによってＵＥにサービスするか、またはサービング事業者固有のポリシーを使用してＤＣＮを選択する。
【００５６】
[0065]いくつかの例では、「ＵＥ使用タイプ」はＵＥに関連付けられ（その使用特性を表し）、すなわち、ＵＥ加入ごとに１つの「ＵＥ使用タイプ」しかない。
【００５７】
[0066]いくつかの例では、ＤＣＮごとに、１つまたは複数のＣＮノードがプールの一部として構成されてよい。
【００５８】
[0067]いくつかの例では、ＭＭＥの場合、ＭＭＥグループ識別情報（ＩＤ）すなわちＭＭＥＧＩがＰＬＭＮ内のＤＣＮを識別する。ＳＧＳＮの場合、グループ識別子がＰＬＭＮ内のＤＣＮを識別する。それは、ＰＬＭＮ内のＤＣＮに属するＳＧＳＮのグループである。この識別子は、ネットワークリソース識別子（ＮＲＩ：Network Resource Identifier）（たとえば、サービングエリアの中の特定のＳＧＳＮノードを識別しないＮＲＩ値）と同じフォーマットを有してよく、その場合、「ヌルＮＲＩ」と呼ばれ、さもなければ、ＮＲＩとは無関係なフォーマットを有してよく、その場合、「ＳＧＳＮグループＩＤ」と呼ばれる。「ヌルＮＲＩ」または「ＳＧＳＮグループＩＤ」は、ヌルＮＲＩ／ＳＧＳＮグループＩＤに対応するＳＧＳＮのグループからＳＧＳＮを選択するようにネットワークノード選択機能（ＮＮＳＦ：Network Node Selection Function）プロシージャをトリガするＲＡＮに、ＳＧＳＮによって提供される。
【００５９】
[0068]いくつかの例では、ＳＧＳＮグループＩＤは、サービスエリアの中ですべてのＮＲＩ値がＳＧＳＮに割り振られ、したがって、ヌルＮＲＩとして使用され得るＮＲＩ値が残らない、展開シナリオを処理することを可能にする。
【００６０】
[0069]いくつかの例では、ＵＥにサービスする専用のＭＭＥ／ＳＧＳＮは、ＵＥ使用タイプに基づいて専用のＳ−ＧＷとＰ−ＧＷとを選択する。
【００６１】
[0070]いくつかの例では、ネットワークへの初期アクセスにおいて、ＲＡＮが特定のＤＣＮを選択するために十分な情報が利用可能でない場合、ＲＡＮは、デフォルトＤＣＮからのＣＮノードを選択してよい。別のＤＣＮへの方向転換が、次いで必要とされ得る。
【００６２】
[0071]いくつかの例では、あるＤＣＮから異なるＤＣＮへＵＥを方向転換するために、ＲＡＮを介した方向転換プロシージャが、ＵＥの非アクセス層（ＮＡＳ：Non-Access Stratum）メッセージをターゲットＤＣＮへ発送するために使用され得る。
【００６３】
[0072]いくつかの例では、ＵＥのための適切なＤＣＮを選択および保持するために、ＲＡＮノードのＮＮＳＦを含むすべての選択機能はＤＣＮに気づいている。
【００６４】
[0073]ＵＥ支援型専用コアネットワーク選択またはｅＤＥＣＯＲもある。この機能は、正しいＤＣＮを選択するためにＵＥから送られるとともにＲＡＮによって使用される表示（ＤＣＮ−ＩＤ）を使用することによって、ＤＥＣＯＲ再ルートに対する必要を低減することになる。ＤＣＮ−ＩＤは、サービングＰＬＭＮによってＵＥに割り当てられ得、ＰＬＭＮ  ＩＤごとにＵＥの中に記憶され得る。ＤＣＮ−ＩＤに対する標準化された値と事業者固有の値の両方が可能である。ＰＬＭＮ固有ＤＣＮ−ＩＤがターゲットＰＬＭＮに対して記憶されるときはいつでも、ＵＥはＰＬＭＮ固有ＤＣＮ−ＩＤを使用することができる。
【００６５】
[0074]ホームＰＬＭＮ（ＨＰＬＭＮ）は、ＵＥがターゲットＰＬＭＮのＰＬＭＮ固有ＤＣＮ−ＩＤを有しない場合のみＵＥによって使用されなければならない、単一のデフォルト標準化ＤＣＮ−ＩＤをＵＥに供給してよい。ＵＥ構成が新たなデフォルト標準化ＤＣＮ−ＩＤを用いて変更されると、ＵＥは記憶されたすべてのＰＬＭＮ固有ＤＣＮ−ＩＤを削除しなければならない。
【００６６】
[0075]ＵＥは、ネットワークの中での新たなロケーションへの登録において、すなわち、アタッチ、ＴＡＵ、およびＲＡＵの中で、ＤＣＮ−ＩＤをＲＡＮに提供する。ＲＡＮは、ＵＥによって提供されたＤＣＮ−ＩＤおよびＲＡＮの中の構成に基づいて、サービングノード（ＭＭＥまたはＳＧＳＮ）を選択する。Ｅ−ＵＴＲＡＮの場合、ｅＮＢは、Ｓ１接続のセットアップにおいて、接続されたＭＭＥによってサポートされるＤＣＮを用いて構成される。ＵＴＲＡＮおよびＧＥＲＡＮの場合、ＢＳＳ／ＲＮＣは、Ｏ＆Ｍを介して、接続されたＳＧＳＮの中でサポートされるＤＣＮを用いて構成される。標準化されたＤＣＮ−ＩＤとＰＬＭＮ固有ＤＣＮ−ＩＤの両方が、ＲＡＮ構成の中で同じネットワークに割り当てられ得る。ＵＥによって提供された情報（たとえば、グローバル一意の一時的ＩＤ（ＧＵＴＩ：Globally Unique Temporary ID）、ＮＲＩなど）がアタッチ／ＴＡＵ／ＲＡＵのためのノード（ＭＭＥまたはＳＧＳＮ）を示すとともに、ＵＥ情報に対応するサービングノード（ＭＭＥまたはＳＧＳＮ）がＲＡＮノードによって見つけられ得る場合、通常のノード選択が、ＤＣＮ−ＩＤに基づく選択よりも優先しなければならない。登録において、ＭＭＥ／ＳＧＳＮは、正しいＤＣＮが選択されているかどうかをチェックしてよい。ＭＭＥ／ＳＧＳＮが、選択されたＤＣＮが正しいＤＣＮでないことを結論付ける場合、ＤＥＣＯＲ再ルートが実行され、新たなＤＣＮの中のＳＧＳＮ／ＭＭＥは、新たなＤＣＮ−ＩＤをＵＥに割り当てる。サービングＭＭＥ／ＳＧＳＮはまた、たとえば、ＵＥの中のＤＣＮ−ＩＤが使われなくなっている場合、または加入情報の中でＵＥ使用タイプが更新されておりＤＣＮの変更につながるとき、新たなＤＣＮ−ＩＤをＵＥに割り当てることができる。このことは、ＧＵＴＩ再割振りプロシージャの一部として実行される。
５ＧＣの中のスライシング
[0076]ネットワークスライス（または、単にスライス）は、ＰＬＭＮ内に規定され、コアネットワーク制御プレーンおよびユーザプレーンネットワーク機能、ならびにサービングＰＬＭＮの中で、以下のもの、すなわち、新世代（ＮＧ：New Generation）ＲＡＮ、または非３ＧＰＰアクセスネットワークへの非３ＧＰＰ相互作用機能（Ｎ３ＩＷＦ：Non-3GPP（登録商標） Interworking Function）のうちの少なくとも１つを含む。ネットワークスライスは、仮想的なエンドツーエンドネットワーク（たとえば、ネットワーク仮想化）として見られ得る。ＵＥなどのデバイスは、同時に複数のネットワークスライスに接続することができる。ネットワークスライスのインスタンスは、ＩｏＴ、公衆安全、ｅＭＢＢ、およびその他のためのインスタンスを含むことができる。その上、ネットワークスライシングを可能にすることによって、事業者は異なるクライアントにサービスを貸し出すことができる。たとえば、ｅＭＢＢスライスがあり得、および／またはＶ２Ｘスライスがサポートされ得、後者は場合によっては自動車のクライアント固有のインスタンスである。
【００６７】
[0077]ネットワークスライスは、サポートされる機能およびネットワーク機能最適化に対して異なってよい。たとえば、委任された異なるサービスを事業者が配送するとき、および／または事業者が顧客に専用であり得るので、事業者は、厳密に同じ機能を配送するがＵＥの異なるグループのための複数のネットワークスライスインスタンスを展開してよい。
【００６８】
[0078]単一のＵＥが、５Ｇ−ＡＮを介して１つまたは複数のネットワークスライスインスタンスによって同時にサービスされ得る。単一のＵＥは、たとえば、多くて８つのネットワークスライスによって一度にサービスされてよい。ＵＥにサービスするＡＭＦインスタンスは、ＵＥにサービスするネットワークスライスインスタンスの各々に論理的に属し、すなわち、このＡＭＦインスタンスは、ＵＥにサービスするネットワークスライスインスタンスに共通である。ＡＭＦは、様々なネットワークスライスへのアーキテクチャの共通点として見られ得る。
【００６９】
[0079]ＵＥに対する、ネットワークスライスインスタンスの各々が１つまたは複数の許容Ｓ−ＮＳＳＡＩに対応できる、ネットワークスライスインスタンスのセットの選択は、通常はＮＳＳＦと相互作用することによって、登録プロシージャにおける最初に接触したＡＭＦによってトリガされ、そのことはＡＭＦの変更につながる場合がある。
【００７０】
[0080]選択されたネットワークスライスインスタンス内でのＳＭＦ発見および選択は、パケットデータ単位（ＰＤＵ）セッションを確立するためのＳＭメッセージがＵＥから受信されるとＡＭＦによって開始される。選択されたネットワークスライスインスタンスに対して、必要とされるネットワーク機能の発見および選択タスクを支援するために、ＮＦリポジトリ機能（ＮＲＦ：NF repository function）が使用される。
【００７１】
[0081]ＰＤＵセッションは、ＰＬＭＮごとに、唯一無二の特定のネットワークスライスインスタンスに属する。異なるネットワークスライスインスタンスはＰＤＵセッションを共有しないが、異なるスライスは、同じＤＮＮを使用するスライス固有ＰＤＵセッションを有してよい。
【００７２】
[0082]いくつかの態様では、ネットワークスライスの識別および選択は、Ｓ−ＮＳＳＡＩおよびＮＳＳＡＩに基づく。一例では、Ｓ−ＮＳＳＡＩがネットワークスライスを識別する。Ｓ−ＮＳＳＡＩは、機能およびサービスに関して予想されるネットワークスライス挙動を指すスライス／サービスタイプ（ＳＳＴ：Slice/Service type）、ならびに／または同じスライス／サービスタイプの複数のネットワークスライスの間を区別するためにスライス／サービスタイプを補完する随意の情報であるスライス区別子（ＳＤ：Slice Differentiator）から、構成されてよい。
【００７３】
[0083]Ｓ−ＮＳＳＡＩは、標準値またはＰＬＭＮ固有値を有することができる。ＰＬＭＮ固有値を有するＳ−ＮＳＳＡＩは、それを割り当てるＰＬＭＮのＰＬＭＮ  ＩＤに関連付けられる。Ｓ−ＮＳＳＡＩは、Ｓ−ＮＳＳＡＩが関連付けられる先のＰＬＭＮ以外のいかなるＰＬＭＮの中でも、アクセス層プロシージャにおいてＵＥによって使用されてはならない。
【００７４】
[0084]ＮＳＳＡＩはＳ−ＮＳＳＡＩの集合である。ＵＥとネットワークとの間でメッセージをシグナリングする際に送られるＮＳＳＡＩの中に、たとえば、多くて８つのＳ−ＮＳＳＡＩがあり得る。各Ｓ−ＮＳＳＡＩは、特定のネットワークスライスインスタンスを選択する際にネットワークを支援する。同じネットワークスライスインスタンスが、異なるＳ−ＮＳＳＡＩによって選択されてよい。事業者の動作上のまたは展開の必要に基づいて、所与のＳ−ＮＳＳＡＩの複数のネットワークスライスインスタンスが、同じ登録エリアの中または異なる登録エリアの中で展開されてよい。所与のＳ−ＮＳＳＡＩの複数のネットワークスライスインスタンスが、同じ登録エリアの中で展開されるとき、ＵＥにサービスするＡＭＦインスタンスは、そのＳ−ＮＳＳＡＩの２つ以上のネットワークスライスインスタンスに論理的に属してよく、すなわち、このＡＭＦインスタンスは、そのＳ−ＮＳＳＡＩの複数のネットワークスライスインスタンスに共通であってよい。Ｓ−ＮＳＳＡＩが、ＰＬＭＮの中の２つ以上のネットワークスライスインスタンスによってサポートされるとき、いくつかのエリアの中で同じＳ−ＮＳＳＡＩをサポートするネットワークスライスインスタンスのうちのいずれかが、ネットワークスライスインスタンス選択プロシージャの結果として、このＳ−ＮＳＳＡＩを使用することが許容されるＵＥにサービスしてよい。Ｓ−ＮＳＳＡＩに関連付けられると、たとえば、ネットワークスライスインスタンスが所与の登録エリアの中でもはや有効でないこと、またはＵＥの許容ＮＳＳＡＩの中での変更が発生することなどの、事例が発生するまで、ＵＥは、そのＳ−ＮＳＳＡＩのための同じネットワークスライスインスタンスによってサービスされる。
【００７５】
[0085]ＵＥにサービスするネットワークスライスインスタンスの選択、ならびにネットワークスライスインスタンスに対応するコアネットワーク制御プレーンおよびユーザプレーンネットワーク機能は、５ＧＣの役目である。５ＧＣが許容ＮＳＳＡＩを（Ｒ）ＡＮに通知する前に、（Ｒ）ＡＮは、ＵＥ制御プレーン接続を処理するために、アクセス層シグナリングの中の要求されたＮＳＳＡＩを使用してよい。ＵＥがやはり一時的ユーザＩＤを提供するとき、要求されたＮＳＳＡＩはルーティングのためにＲＡＮによって使用されない。ＵＥが首尾よく登録されると、ＣＮは、制御プレーン態様にとっての全許容ＮＳＳＡＩを提供することによって（Ｒ）ＡＮに通知する。所与のＳ−ＮＳＳＡＩに対するＰＤＵセッションが、特定のネットワークスライスインスタンスを使用して確立されると、ＣＮは、ＲＡＮがアクセス固有機能を実行することを可能にするために、このネットワークスライスインスタンスに対応するＳ−ＮＳＳＡＩを（Ｒ）ＡＮに提供する。加入情報は複数のＳ−ＮＳＳＡＩを含んでよい。加入済みのＳ−ＮＳＳＡＩのうちの１つまたは複数が、デフォルトＳ−ＮＳＳＡＩとしてマークされ得る。多くて８つのＳ−ＮＳＳＡＩが、デフォルトＳ−ＮＳＳＡＩとしてマークされ得る。しかしながら、ＵＥは、８つを超えるＳ−ＮＳＳＡＩに加入してよい。Ｓ−ＮＳＳＡＩがデフォルトとしてマークされる場合、ＵＥが登録要求メッセージの中でいかなる有効なＳ−ＮＳＳＡＩもネットワークへ送らないとき、ネットワークは関連するネットワークスライスを用いてＵＥにサービスするものと予想される。Ｓ−ＮＳＳＡＩごとの加入情報は、複数のＤＮＮと１つのデフォルトＤＮＮとを含んでよい。ＵＥが登録要求の中で提供するＮＳＳＡＩは、ユーザの加入データに対して確認される。
ＵＥ  ＮＳＳＡＩ構成およびＮＳＳＡＩ記憶態様
[0086]ＵＥは、ＰＬＭＮごとに、構成済みのＮＳＳＡＩを用いてＨＰＬＭＮによって構成され得る。構成済みのＮＳＳＡＩはＰＬＭＮ固有であり得、ＨＰＬＭＮは、構成済みのＮＳＳＡＩがすべてのＰＬＭＮに適用されるかどうか、すなわち、構成済みのＮＳＳＡＩが、ＵＥがアクセスしているＰＬＭＮにかかわらず同じ情報を伝えるかどうかを含めて、構成済みの各ＮＳＳＡＩがどんなＰＬＭＮに適用されるのかを示す（たとえば、このことは、標準化されたＳ−ＮＳＳＡＩしか含まないＮＳＳＡＩにとって可能であり得る）。登録の際に、要求されたＮＳＳＡＩをネットワークに提供するとき、所与のＰＬＭＮの中のＵＥは、もしあれば、そのＰＬＭＮの、構成済みのＮＳＳＡＩに属するＳ−ＮＳＳＡＩのみを使用しなければならない。ＵＥの登録プロシージャを首尾よく完了すると、ＵＥは、１つまたは複数のＳ−ＮＳＳＡＩを含んでよい、このＰＬＭＮのための許容ＮＳＳＡＩをＡＭＦから取得し得る。これらのＳ−ＮＳＳＡＩは、ＵＥが登録しているサービングＡＭＦによって提供された現在の登録エリアにとって有効であり、（たとえば、同時のネットワークスライスまたはＰＤＵセッションの最大数まで）ＵＥによって同時に使用され得る。ＵＥはまた、１つまたは複数の一時的または永続的に拒絶されたＳ−ＮＳＳＡＩを、ＡＭＦから取得し得る。
【００７６】
[0087]許容ＮＳＳＡＩは、このＰＬＭＮのための構成済みのＮＳＳＡＩよりも優先することができる。ＵＥは、サービングＰＬＭＮの中の後続のプロシージャに対して、ネットワークスライスに対応する許容ＮＳＳＡＩの中のＳ−ＮＳＳＡＩのみを使用することができる。
【００７７】
[0088]一態様では、ＵＥは、（Ｓ）ＮＳＳＡＩのタイプに基づいて（Ｓ）ＮＳＳＡＩを記憶してよい。たとえば、ＵＥの中のＰＬＭＮのための構成済みのＮＳＳＡＩがＵＥに供給されるとき、構成済みのＮＳＳＡＩは、このＰＬＭＮのための新たな構成済みのＮＳＳＡＩがＨＰＬＭＮによってＵＥの中で供給されるまでＵＥの中に記憶されてよく、ＰＬＭＮのための新たな構成済みのＮＳＳＡＩが供給されると、ＵＥは、このＰＬＭＮのための記憶された任意の構成済みのＮＳＳＡＩを新たな構成済みのＮＳＳＡＩに置き換えることと、このＰＬＭＮのための任意の記憶された許容ＮＳＳＡＩと拒絶されたＳ−ＮＳＳＡＩとを削除することの、両方を行うべきである。
【００７８】
[0089]いくつかの例では、ＰＬＭＮのための許容ＮＳＳＡＩが受信されると、許容ＮＳＳＡＩは、このＰＬＭＮのための新たな許容ＮＳＳＡＩが受信されるまで、ＵＥがオフにされている時を含めて、ＵＥの中に記憶されてよい。ＰＬＭＮのための新たな許容ＮＳＳＡＩが受信されると、ＵＥは、このＰＬＭＮのための記憶されている任意の許容ＮＳＳＡＩを、この新たな許容ＮＳＳＡＩに置き換えてよい。
【００７９】
[0090]いくつかの例では、ＰＬＭＮのための一時的に拒絶されたＳ−ＮＳＳＡＩが受信されると、ＲＭ−ＲＥＧＩＳＴＥＲＥＤの間、一時的に拒絶されたＳ−ＮＳＳＡＩはＵＥの中に記憶されてよい。
【００８０】
[0091]いくつかの例では、ＰＬＭＮのための永続的に拒絶されたＳ−ＮＳＳＡＩが受信されると、ＲＭ−ＲＥＧＩＳＴＥＲＥＤの間、永続的に拒絶されたＳ−ＮＳＳＡＩはＵＥの中に記憶されてよい。
【００８１】
[0092]ＵＥに提供される許容ＮＳＳＡＩの中のＳ−ＮＳＳＡＩのうちの１つまたは複数は、ＵＥのＮＳＳＡＩ構成の一部でなくてよい標準化されていない値を有することができる。そのような場合、許容ＮＳＳＡＩは、許容Ｓ−ＮＳＳＡＩの中のＳ−ＮＳＳＡＩが、どのようにＵＥの中の構成済みのＮＳＳＡＩの中のＳ−ＮＳＳＡＩに対応するのかという、マッピング情報を含む。ＵＥは、その内部動作（たとえば、ＵＥのサービス用の適切なネットワークスライスを見つけること）のためにこのマッピング情報を使用する。詳細には、ＮＳＳＰによりＳ−ＮＳＳＡＩに関連付けられたＵＥアプリケーションは、許容ＮＳＳＡＩからの対応するＳ−ＮＳＳＡＩにさらに関連付けられる。
【００８２】
[0093]いくつかの態様では、データネットワークへのユーザプレーン接続性は、ネットワークスライスインスタンスを介して確立される。一例では、ネットワークスライスインスタンスを介した、データネットワークへのユーザプレーン接続性の確立は、必要とされるネットワークスライスをサポートするＡＭＦを選択するためにＲＭプロシージャを実行することと、ネットワークスライスインスタンスを介して、必要とされるデータネットワークへの１つまたは複数のＰＤＵセッションを確立することとを備える。
【００８３】
[0094]いくつかの態様では、サービングＡＭＦは、ネットワークスライスをサポートするように選択され得る。一例では、ＵＥがＰＬＭＮに登録すると、このＰＬＭＮに対するＵＥが、構成済みのＮＳＳＡＩまたは許容ＮＳＳＡＩを有する場合、ＵＥは、一時的ユーザＩＤがＵＥに割り当てられていた場合は一時的ユーザＩＤに加えて、ＵＥが登録することを希望する先のネットワークスライスに対応するＳ−ＮＳＳＡＩを含む要求されたＮＳＳＡＩを、ＲＲＣおよびＮＡＳレイヤの中でネットワークに提供してよい。要求されたＮＳＳＡＩは、（ａ）ＵＥがサービングＰＬＭＮに対して許容ＮＳＳＡＩを有しない場合、以下で説明するような構成済みのＮＳＳＡＩもしくはそれらのサブセット、（ｂ）ＵＥがサービングＰＬＭＮに対して許容ＮＳＳＡＩを有する場合、以下で説明するような許容ＮＳＳＡＩもしくはそれらのサブセット、または（ｃ）それに対して対応するＳ−ＮＳＳＡＩが許容ＮＳＳＡＩの中に存在しない、ネットワークによって（以下で規定するように）以前に永続的に拒絶されなかった構成済みのＮＳＳＡＩからの、１つもしくは複数のＳ−ＮＳＳＡＩを加えた、以下で説明するような許容ＮＳＳＡＩもしくはそれらのサブセットのうちの、いずれかであってよい。
【００８４】
[0095]いくつかの例では、Ｓ−ＮＳＳＡＩが、ネットワークによって（以下で規定するように）以前に永続的に拒絶されなかったか、または要求されたＮＳＳＡＩの中にＵＥによって以前に追加されなかった場合、要求されたＮＳＳＡＩの中で提供される構成済みのＮＳＳＡＩのサブセットは、このＰＬＭＮに適用可能な構成済みのＮＳＳＡＩの中の１つまたは複数のＳ−ＮＳＳＡＩからなり得る。
【００８５】
[0096]いくつかの例では、要求されたＮＳＳＡＩの中で提供される許容ＮＳＳＡＩのサブセットは、このＰＬＭＮのための最後の許容ＮＳＳＡＩの中の１つまたは複数のＳ−ＮＳＳＡＩからなり得る。
【００８６】
[0097]一態様では、Ｓ−ＮＳＳＡＩがネットワークによって（以下で規定するように）以前に永続的に拒絶されなかった場合、ＵＥは、現在の登録エリアの中でＵＥが以前にサービングＰＬＭＮに提供した構成済みのＮＳＳＡＩからのＳ−ＮＳＳＡＩを、要求されたＮＳＳＡＩの中で提供してよい。
【００８７】
[0098]いくつかの例では、ＵＥは、ＲＲＣ接続確立においてＮＡＳメッセージの中に、要求されたＮＳＳＡＩを含めることができる。ＲＡＮは、このＵＥと、ＲＲＣ接続確立中に取得される要求されたＮＳＳＡＩを使用して選択されるＡＭＦとの間で、ＮＡＳシグナリングをルーティングすることができる。ＲＡＮが、要求されたＮＳＳＡＩに基づいてＡＭＦを選択できない場合、ＲＡＮは、デフォルトＡＭＦのセットからのＡＭＦにＮＡＳシグナリングをルーティングしてよい。
【００８８】
[0099]いくつかの例では、ＵＥがＰＬＭＮに登録すると、このＰＬＭＮに対してＵＥが構成済みのＮＳＳＡＩまたは許容ＮＳＳＡＩを有しない場合、ＲＡＮは、すべてのＮＡＳシグナリングをこのＵＥから／にデフォルトＡＭＦに／からルーティングしてよい。一例では、ＵＥは、対応するＰＬＭＮのための構成済みのＮＳＳＡＩまたは許容ＮＳＳＡＩを有しない限り、いかなるＮＳＳＡＩもＲＲＣ接続確立または初期ＮＡＳメッセージの中で示さなくてよい。ＲＲＣの中で、要求されたＮＳＳＡＩと５Ｇ−Ｓ−ＴＭＳＩとをＵＥから受信すると、ＲＡＮが、５Ｇ−Ｓ−ＴＭＳＩに対応するＡＭＦに到達できる場合、ＲＡＮは、このＡＭＦに要求を発送してよい。そうでない場合、ＲＡＮは、ＵＥによって提供される要求されたＮＳＳＡＩに基づいて好適なＡＭＦを選択してよく、選択されたＡＭＦに要求を発送してよい。ＲＡＮが、要求されたＮＳＳＡＩに基づいてＡＭＦを選択できない場合、要求はデフォルトＡＭＦへ送られてよい。
【００８９】
[00100]一態様では、ＡＮによって選択されたＡＭＦがＵＥ初期登録要求を受信すると、このＡＭＦの中の構成に基づいてＡＭＦがＵＥにサービスできるかどうかを決定することを許容されるときの事例を除き（後続の処理については以下の（Ａ）を参照）、（ａ）ＡＭＦは、登録プロシージャの一部として、加入済みのＳ−ＮＳＳＡＩを含むＵＥ加入情報を取り出すために、統合型データ管理（ＵＤＭ：Unified Data Management）に照会してよく、（ｂ）ＡＭＦは、要求されたＮＳＳＡＩの中のＳ−ＮＳＳＡＩが加入済みのＳ−ＮＳＳＡＩに基づいて許可されるかどうかを確認してよく、（ｃ）ＡＭＦは、ＡＭＦの中のＵＥコンテキストがまだ許容ＮＳＳＡＩを含まないとき、ＮＳＳＦに照会してよい（後続の処理については以下の（Ｂ）を参照）。一例では、この構成は、事業者のポリシーに依存し得るか、または（ｄ）ＡＭＦは、ＡＭＦの中のＵＥコンテキストが許容ＮＳＳＡＩをすでに含むとき、このＡＭＦに対する構成に基づいて、ＡＭＦがＵＥにサービスできるかどうかを決定してよい（後続の処理については以下の（Ａ）を参照）。この構成は事業者のポリシーに依存し得る。
【００９０】
[00101]（Ａ）上記で説明したように構成を遂行することに応じて、ＡＭＦは、ＵＥにサービスできるかどうかを決定することを許容されてよく、以下のことが実行されてよい。すなわち、ＡＭＦは、加入済みのＳ−ＮＳＳＡＩの中に存在する要求されたＮＳＳＡＩからのすべてのＳ−ＮＳＳＡＩを、または要求されたＮＳＳＡＩが提供されなかった場合には加入済みのＳ−ＮＳＳＡＩの中でデフォルトとしてマークされたすべてのＳ−ＮＳＳＡＩをＡＭＦがサービスできるかどうかをチェックしてよい。このことが事実である場合、ＡＭＦは、ＵＥのためのサービングＡＭＦを残してよい。許容ＮＳＳＡＩは、次いで、加入済みのＳ−ＮＳＳＡＩに基づいて許可される要求されたＮＳＳＡＩの中のＳ−ＮＳＳＡＩの、または要求されたＮＳＳＡＩが提供されなかった場合は加入済みのＳ−ＮＳＳＡＩの中でデフォルトとしてマークされたすべてのＳ−ＮＳＳＡＩの、リストからなり得る（後続の処理については以下の（Ｃ）を参照）。このことが事実でない場合、ＡＭＦはＮＳＳＦに照会してよい（後続の処理については以下の（Ｂ）を参照）。
【００９１】
[00102]（Ｂ）上記で説明したように、ＡＭＦがＮＳＳＦに照会する必要があるとき、以下のことが実行されてよい。すなわち、ＡＭＦは、要求されたＮＳＳＡＩ、加入済みのＳ−ＮＳＳＡＩ、ＳＵＰＩのＰＬＭＮ  ＩＤ、ロケーション情報、および／または場合によってはＵＥによって使用されているアクセス技術を用いて、ＮＳＳＦに照会してよい。この情報、局所的な構成、および登録エリアの中のＲＡＮ能力を含む局所的に利用可能な他の情報に基づいて、ＮＳＳＦは以下のことを実行してよい。すなわち、（ａ）ＮＳＳＦは、ＵＥにサービスするためのネットワークスライスインスタンスを選択してよい。登録エリアの中の複数のネットワークスライスインスタンスが所与のＳ−ＮＳＳＡＩをサービスできるとき、事業者の構成に基づいて、ＮＳＳＦは、ＵＥにサービスするためにそれらのうちの１つを選択してよく、またはＮＳＳＦは、ネットワークスライスインスタンス内のＮＦ／サービスが選択されることを必要とするまでネットワークスライスインスタンスの選択を遅らせてもよく、（ｂ）ＮＳＳＦは、ＵＥにサービスするために使用されるべきターゲットＡＭＦセットを、または構成に基づいて、場合によってはＮＲＦに照会した後に候補ＡＭＦのリストを、決定してよく、（ｃ）ＮＳＳＦは、場合によっては現在の登録エリアの中の許容ＮＳＳＡＩの中のＳ−ＮＳＳＡＩをサービスできるネットワークスライスインスタンスの利用可能性も考慮にいれて、許容ＮＳＳＡＩを決定してよく、（ｄ）事業者構成に基づいて、ＮＳＳＦは、選択されたネットワークスライスインスタンス内のＮＦ／サービスを選択するために使用されるべきＮＲＦを決定してよく、（ｅ）ＮＳＳＦは、ローミングシナリオにおける許容ＮＳＳＡＩを決定するために追加の処理を実行してよく、（ｆ）ＮＳＳＦは、許容ＮＳＳＡＩとターゲットＡＭＦセットとを、または構成に基づいて候補ＡＭＦのリストを、現在のＡＭＦに戻してよい。ＮＳＳＦは、選択されたネットワークスライスインスタンス内のＮＦ／サービスを選択するために使用されるべきＮＲＦを戻してよい。ＮＳＳＦはまた、要求されたＮＳＳＡＩの一部であった許容ＮＳＳＡＩの中に含まれないＳ−ＮＳＳＡＩに対する拒絶原因に関する情報を戻してよく、（ｇ）ＡＭＦは、利用可能な情報に応じて、また構成に基づいて、ターゲットＡＭＦセットを用いてＮＲＦに照会してよい。ＮＲＦは、候補ＡＭＦのリストを戻し、または（ｈ）ＡＭＦは、ターゲットサービングＡＭＦへの再ルーティングが必要である場合、登録要求をターゲットサービングＡＭＦに再ルーティングしてよい。
【００９２】
[00103]（Ｃ）サービングＡＭＦは、許容ＮＳＳＡＩをＵＥに戻すことができる。ＡＭＦはまた、許容ＮＳＳＡＩの中に含まれない要求されたＳ−ＮＳＳＡＩに対して、拒絶が永続的であるのか（たとえば、Ｓ−ＮＳＳＡＩがＰＬＭＮの中でサポートされない）それとも一時的であるのか（たとえば、Ｓ−ＮＳＳＡＩが登録エリアの中で現在利用可能でない）を、ＵＥに示してよい。登録に成功すると、ＵＥは、サービングＡＭＦによって５Ｇ２次一時的移動加入者識別情報（ＴＭＳＩ：Temporary Mobile Subscriber Identity）（５Ｇ−Ｓ−ＴＭＳＩ）が提供され得る。ＵＥは、ＲＡＮがＵＥと適切なＡＭＦとの間でＮＡＳシグナリングをルーティングすることを可能にするために、後続の初期アクセス中に任意のＲＲＣ接続確立の中にこの５Ｇ−Ｓ−ＴＭＳＩを含めてよい。
【００９３】
[00104]ＵＥがサービングＡＭＦから許容ＮＳＳＡＩを受信する場合、ＵＥは、この新たな許容ＮＳＳＡＩを記憶してよく、このＰＬＭＮのための、以前に記憶されたいかなる許容ＮＳＳＡＩも無効にしてよい。
【００９４】
[00105]一態様では、ＵＥのためのネットワークスライスのセットが修正されてよい。ＵＥのためのネットワークスライスのセットは、ＵＥがネットワークに登録されている間、任意の時間において変更され得、ネットワークによって、または以下で説明するようにいくつかの条件下ではＵＥによって、開始されてよい。いくつかの例では、ＡＭＦによってＵＥに割り振られる登録エリアは、ネットワークスライスに対する均一なサポートを有してよい。
【００９５】
[00106]ネットワークは、局所的なポリシー、加入変更および／またはＵＥモビリティ、動作上の理由（たとえば、ネットワークスライスインスタンスがもはや利用可能でない）に基づいて、ＵＥが登録される先のネットワークスライスのセットを変更してよく、新たな許容ＮＳＳＡＩをＵＥに提供してよい。ネットワークは、登録プロシージャ中にそのような変更を実行してよく、または汎用ＵＥ構成更新プロシージャを使用して、ネットワークスライスの変更の通知をＵＥに向けてトリガしてもよい。新たな許容ＮＳＳＡＩが次いで決定され得る（ＡＭＦ再配置が必要とされることがある）。ＡＭＦは、新たな許容ＮＳＳＡＩおよびＴＡＩリストをＵＥに提供してよく、（ａ）許容ＮＳＳＡＩへの変更が、ＵＥが登録プロシージャを実行することを必要としない場合、（１）ＡＭＦは、認識応答が必要とされることを示してよいが、登録プロシージャを実行する必要性を示さず、（２）ＵＥは、認識応答のためにＵＥ構成更新完了メッセージを用いて応答してよく、および／または（３）ＵＥは、認識応答のためにＵＥ構成更新完了メッセージを用いて応答してよく、（ｂ）許容ＮＳＳＡＩへの変更が、ＵＥが登録プロシージャを実行することを必要とする（たとえば、新たなＳ−ＮＳＳＡＩが、現在のサービングＡＭＦによって決定され得ない別個のＡＭＦを必要とする）場合、（１）サービングＡＭＦは、現在の５Ｇ−ＧＵＴＩが無効であることと、ＣＭ−ＩＤＬＥ状態に入った後にＵＥが登録プロシージャを実行する必要性とを、ＵＥに示してよい。ＡＭＦは、局所的なポリシーに基づいてＣＭ−ＩＤＬＥに入ることを許容するために、ＵＥへのＮＡＳシグナリング接続を解放しなければならない（たとえば、即時にまたは遅延して解放する）。ＵＥは、接続管理（ＣＭ：Connection Management）−ＩＤＬＥ状態に入る前に登録プロシージャを実行してはならず、および／または（２）ＵＥは、ＵＥがＣＭ−ＩＤＬＥ状態に入った後、登録プロシージャを開始する。ＵＥは、この場合、加入永続的識別情報（ＳＵＰＩ：subscription Permanent Identification）と新たな許容ＮＳＳＡＩとを登録の中に含めてよい。
【００９６】
[00107]１つまたは複数のＰＤＵセッションのために使用されるネットワークスライスがもはやＵＥにとって利用可能でないとき、新たな許容ＮＳＳＡＩをＵＥへ送ることに加えて、以下のことが適用され得る。すなわち、（ａ）ネットワークの中で、ネットワークスライスが（たとえば、ＵＥ加入変更に起因して）もはや同じＡＭＦの下で利用可能でない場合、ＡＭＦは、ＵＥのＳＭコンテキストを自律的に解放するように、関連するＳ−ＮＳＳＡＩに対応するＳＭＦに示してよく、（ｂ）ネットワークの中で、ネットワークスライスが（たとえば、登録エリア変更に起因して）もはやＡＭＦ再配置とともに利用可能でなくなった場合、新たなＡＭＦは、関連するＳ−ＮＳＳＡＩに関連するＰＤＵセッションが解放され得ることを、古いＡＭＦに示してよく、古いＡＭＦは、ＵＥのＳＭコンテキストを自律的に解放するように、対応するＳＭＦに通知し、または（ｃ）ＵＥの中で、登録受諾メッセージの中で許容ＮＳＳＡＩを受信した後、ＰＤＵセッションコンテキストが暗黙的に解放されてよい。
【００９７】
[00108]いくつかの例では、ＵＥは、進行中のトラフィックが、他のネットワークスライスに属する既存のＰＤＵセッションを介してルーティングされ得るかどうかを決定するために、ＵＥ構成（たとえば、ネットワークスライスセキュリティポリシーすなわちＮＳＳＰ）を使用してよく、または同じ／他のネットワークスライスに関連する新たなＰＤＵセッションを確立してもよい。
【００９８】
[00109]使用されているＳ−ＮＳＳＡＩのセットを変更するために、ＵＥは登録プロシージャを開始することができる。
【００９９】
[00110]ＵＥが登録される先のＳ−ＮＳＳＡＩのセットの変更は（ＵＥが開始したのかそれともネットワークが開始したのかにかかわらず）、事業者ポリシーに従うＡＭＦ変更につながることがある。
【０１００】
[00111]一態様では、ＡＭＦ再配置は、ネットワークスライスサポートに起因し得る。一例では、ＰＬＭＮの中での登録プロシージャ中、ＵＥがネットワークスライス態様に基づいて異なるＡＭＦによってサービスされるべきであることを、ネットワークが決定する場合には、次いで、登録要求を最初に受信したＡＭＦは、ＲＡＮを介して、または初期ＡＭＦとターゲットＡＭＦとの間の直接のシグナリングを介して、登録要求を別のＡＭＦへ方向転換してよい。ＲＡＮを介してＡＭＦによって送られる方向転換メッセージは、ＵＥにサービスすべき新たなＡＭＦの選択のための情報を含んでよい。
【０１０１】
[00112]すでに登録されているＵＥに対して、システムは、そのサービングＡＭＦからターゲットＡＭＦへの、ネットワークスライス考慮に起因してＵＥのネットワークによって開始された方向転換をサポートし得る（たとえば、事業者が、ネットワークスライスインスタンスとそれらのそれぞれのサービングＡＭＦとの間のマッピングを変更している）。いくつかの例では、事業者ポリシーは、ＡＭＦ間の方向転換が許容されるかどうかを決定し得る。
【０１０２】
[00113]一態様では、必要とされるネットワークスライスインスタンスに、ＰＤＵセッションが接続されてよい。ＤＮへのネットワークスライスの中でのＰＤＵセッションの確立は、ネットワークスライスの中でのデータ送信を許容する。データネットワークは、Ｓ−ＮＳＳＡＩおよびＤＮＮに関連付けられてよい。
【０１０３】
[00114]一例では、ネットワーク事業者（たとえば、ＨＰＬＭＮ）は、ＵＥにＮＳＳＰを供給してよい。ＮＳＳＰは１つまたは複数のＮＳＳＰ規則を含み、それぞれの規則はアプリケーションをいくつかのＳ−ＮＳＳＡＩに関連付ける。すべてのアプリケーションをＳ−ＮＳＳＡＩに整合させるデフォルトの規則も含まれてよい。特定のＳ−ＮＳＳＡＩに関連付けられたＵＥアプリケーションがデータ送信を要求するとき、ＵＥが、特定のＳ−ＮＳＳＡＩに対応して確立された１つまたは複数のＰＤＵセッションを有する場合、ＵＥは、ＵＥにおける他の条件がこれらのＰＤＵセッションの使用を禁止しない限り、これらのＰＤＵセッションのうちの１つの中で、このアプリケーションのユーザデータをルーティングしてよい。アプリケーションがＤＮＮを提供する場合、ＵＥはまた、どのＰＤＵセッションを使用すべきであるのかを決定するために、このＤＮＮを考慮し得る。
【０１０４】
[00115]ＵＥは、新たなＮＳＳＰがＨＰＬＭＮによってＵＥに提供されるまで、ＮＳＳＰを記憶することができる。ＵＥが、この特定のＳ−ＮＳＳＡＩを用いて確立されたＰＤＵセッションを有しない場合、ＵＥは、このＳ−ＮＳＳＡＩに対応するとともに、アプリケーションによって提供され得るＤＮＮを有する、新たなＰＤＵセッションを要求してよい。ＲＡＮが、ＲＡＮの中でネットワークスライシングをサポートするための適切なリソースを選択するために、ＲＡＮは、ＵＥによって使用されるネットワークスライスに気づいている場合がある。
【０１０５】
[00116]一例では、この特定のＳ−ＮＳＳＡＩに対する登録プロシージャ中に、ネットワークスライスインスタンスが選択されなかった場合、ＡＭＦは、ＵＥにサービスすべきネットワークスライスインスタンスを選択するために、また選択されたネットワークスライスインスタンス内のＮＦ／サービスを選択するために使用されるべきＮＲＦを決定するために、この特定のＳ−ＮＳＳＡＩ、ロケーション情報、ＳＵＰＩのＰＬＭＮ  ＩＤを用いてＮＳＳＦに照会してよい。
【０１０６】
[00117]一例では、ＵＥがＰＤＵセッションの確立をトリガすると、ＡＭＦは、Ｓ−ＮＳＳＡＩ、ＤＮＮ、および他の情報（たとえば、ＵＥ加入および局所的な事業者ポリシー）に基づいてネットワークスライスインスタンスの中のＳＭＦを選択するために、ＮＲＦに照会してよい。選択されたＳＭＦは、Ｓ−ＮＳＳＡＩおよびＤＮＮに基づいてＰＤＵセッションを確立し得る。
【０１０７】
[00118]一例では、ＡＭＦが複数のネットワークスライスに属するとき、構成に基づいて、ＡＭＦは、ＳＭＦ選択のための適切なレベルにおいてＮＲＦを使用してよい。
【０１０８】
[00119]一態様では、ネットワークスライシングは、発展型パケットシステム（ＥＰＳ：evolved packet system）との相互作用を通じて実行されてよい。ネットワークスライシングをサポートする５ＧＣは、５ＧＣのＰＬＭＮの中で、または他のＰＬＭＮの中で、ＥＰＳと相互作用することを必要とする場合があり、ＥＰＣは、ＭＭＥ選択が、ＵＥによってＲＡＮに提供されたＤＣＮ−ＩＤによって支援され得る、ＤＣＮをサポートし得る。ＵＥが発展型ＣＭ（ＥＣＭ：Evolved CM）−ＩＤＬＥまたはＣＭ−ＩＤＬＥ状態にある場合、モビリティは、５ＧＳにおけるＥＰＳおよび登録プロシージャの中でトラッキングエリア更新（ＴＡＵ：Tracking Area Update）（または、それがターゲットシステムにおける最初のモビリティイベントである場合はアタッチ）をトリガし得る。これらのプロシージャは、正当なＤＣＮまたはネットワークスライス（のセット）の中にＵＥを配置するのに十分である。
【０１０９】
[00120]接続モードのモビリティ／相互作用５ＧＣからＥＰＣに対して、また逆も同様に（たとえば、ＥＰＣから５ＧＣに対して）、ＡＭＦの中のＵＥ  ＣＭ状態が５ＧＣにおいてＣＭ−ＣＯＮＮＥＣＴＥＤであり、ＥＰＳへのハンドオーバが行われるとき、ＡＭＦは、ターゲットＭＭＥを選択してよく、ＭＭＥ−ＡＭＦインターフェース（たとえば、図２を参照）を介して、選択されたＭＭＥにＵＥコンテキストを発送してよい。ハンドオーバプロシージャが次いで実行されてよい。ハンドオーバが完了すると、ＵＥはＴＡＵを実行する。このことはターゲットＥＰＳの中でＵＥ登録を完了し、このことの一部として、ターゲットＥＰＳがＤＣＮ−ＩＤを使用する場合、ＵＥはＤＣＮ−ＩＤを取得し得る。５ＧＣからＤＣＮをサポートするＥＰＣへのＵＥハンドオーバの場合に、ＡＭＦがどのようにターゲットＭＭＥを選択するのかは、未決定であり様々な方法で実施され得る。
【０１１０】
[00121]５ＧＣからＥＰＣまでの間でのハンドオーバは、ネットワークスライスのすべてのアクティブなＰＤＵセッションがＥＰＣに転送され得ることを保証するとは限らず、したがって、いくつかのＰＤＵセッションは欠落されることがある。ＵＥが、ＥＰＣにおいてＥＣＭ−ＣＯＮＮＥＣＴＥＤであり、５ＧＳへのハンドオーバを実行するとき、ＭＭＥは、（ＵＥ使用タイプが加入データの中のＵＥにとって利用可能である場合はＵＥ使用タイプを含む）任意の利用可能な局所的な情報に基づいてターゲットＡＭＦを選択してよく、ＭＭＥ−ＡＭＦインターフェースを介して、選択されたＡＭＦにＵＥコンテキストを発送してよい。ハンドオーバプロシージャは実行済みのものである。ハンドオーバが完了すると、ＵＥは登録プロシージャを実行し得る。このことは、ターゲット５ＧＳにおけるＵＥ登録を完了し、このことの一部として、ＵＥは許容ＮＳＳＡＩを取得し得る。ＥＰＳとの相互作用がサポートされるときに、ＵＥごとにサポートされるネットワークスライスの個数に限定があるかどうかは、未決定であり様々な方法で実施され得る。
ＥＰＣ／５ＧＣ相互作用
[00122]図２は、ＥＰＣ２１０と５ＧＳ２２０との間の相互作用のための非ローミングアーキテクチャ２００の一例を示す図２００を示す。非ローミングアーキテクチャに関して本明細書で説明する様々な態様はまた、ローミングアーキテクチャに適用され得る。
【０１１１】
[00123]図２に関して、アーキテクチャ２００は、モジュール間の複数のインターフェース／参照点を含んでよい。インターフェースは、ＥＰＣ２１０と５ＧＳ２２０との間の相互作用を可能にするために、ＭＭＥ２１２と５ＧＳ  ＡＭＦ２２２との間のＣＮ間インターフェースであるＭＭＥ−ＡＭＦインターフェース２５０を含んでよい。以下でさらに詳細に説明するように、ネットワークの中のＭＭＥ−ＡＭＦインターフェース２５０に対するサポートは、相互作用にとって随意である。一例では、ＭＭＥ−ＡＭＦインターフェース２５０は、ＭＭＥ再配置およびＭＭＥからＭＭＥへの情報転送のためにＭＭＥ間の参照点（図示せず）を介してサポートされる、（相互作用にとって必須の）機能のサブセットをサポートし得る。これらの参照点は、ＰＬＭＮ内または（たとえば、ＰＬＭＮ間ＨＯの場合には）ＰＬＭＮ間で使用され得る。
【０１１２】
[00124]図２によって示すように、アーキテクチャ２００はまた、ＵＤＭ＋ＨＳＳユニット２３２、ポリシー制御機能（ＰＣＦ：policy control function）＋ポリシーおよび変更規則機能（ＰＣＲＦ）２３４、ＳＭＦ＋ＰＧＷ制御（ＰＧＷ−Ｃ）２３６、ならびにＥＰＣ２１０と５ＧＳ２２０との間の相互作用にとって専用のユーザプレーン機能（ＵＰＦ：user plane function）＋ＰＧＷユーザ（ＰＧＷ−Ｕ）２３８を含んでよい。これらのユニットは、相互作用のためのそれぞれの機能をサポートするＥＰＣ２１０および５ＧＳからの複合エンティティであってよい。しかしながら、これらのユニット（たとえば、ＰＣＦ＋ＰＣＲＦ２３４、ＳＭＦ＋ＰＧＷ−Ｃ２３６、およびＵＰＦ＋ＰＧＷ−Ｕ２３８のうちの１つまたは複数は随意であってよく、ＵＥ２１６、２２６、およびアーキテクチャ２００のうちの１つまたは複数の能力に基づいてよい。ＥＰＣ２１０と５ＧＳ２２０との相互作用に従わない１つまたは複数のＵＥは、相互作用にとって専用でないエンティティによって、すなわち、ＥＰＣ２１０に従うＵＥのためのＰＧＷ／ＰＣＲＦ、または５ＧＳ２２０に従うＵＥのためのＳＭＦ／ＵＰＦ／ＰＣＦのうちの、１つまたは複数によってサービスされ得る。
【０１１３】
[00125]一例では、アーキテクチャ２００はまた、ＮＧ−ＲＡＮ２２４とＵＰＦ＋ＰＧＷ−Ｕ２３８との間に別のＵＰＦ（図２に示さず）を含んでよく、すなわち、ＵＰＦ＋ＰＧＷ−Ｕ２３８は、必要な場合、追加のＵＰＦを用いて参照点をサポートすることができる。図２、および図２に関して本明細書で説明するプロシージャ、またはＳＧＷ２１８を示す類似のアーキテクチャは、ＳＧＷ２１８が、モノリシックＳＧＷとして展開されるのか、それともその制御プレーンおよびユーザプレーン機能に分割されたＳＧＷとして展開されるのかを、想定しない。
【０１１４】
[00126]ＥＰＣ２１０と相互作用するために、５ＧＣ２２０とＥＰＣ２１０の両方をサポートする（たとえば、５Ｇ技術またはＮＲ技術と４Ｇ技術の両方をサポートする）ＵＥ２１６または２２６は、単一登録モードまたは二重登録モードで動作することができる。
【０１１５】
[00127]単一登録モードでは、ＵＥは、１つのアクティブなモビリティ管理（ＭＭ：mobility management）状態（たとえば、５ＧＣ２２０におけるＲＭ状態またはＥＰＣ２１０におけるＥＰＳモビリティ管理（ＥＭＭ：EPS mobility management）状態のいずれか）だけを有してよく、（それぞれ、５ＧＣ２２０またはＥＰＣ２１０に接続されるとき）５ＧＣ  ＮＡＳモードまたはＥＰＣ  ＮＡＳモードのいずれかにある。ＵＥは、５ＧＣ２２０およびＥＰＣ２１０のために、協調された単一の登録を保持してよい。
【０１１６】
[00128]二重登録モードでは、ＵＥは、５ＧＣ２２０およびＥＰＣ２１０のために、独立した登録を処理することができる。このモードでは、ＵＥは、５ＧＣ２２０のみに、ＥＰＣ２１０のみに、または５ＧＣ２２０とＥＰＣ２１０の両方に、登録されてよい。
【０１１７】
[00129]一例では、単一登録モードのサポートは、５ＧＣ  ＮＡＳとＥＰＣ  ＮＡＳの両方をサポートするＵＥにとって必須であり得る。
【０１１８】
[00130]一例では、Ｅ−ＵＴＲＡＮ初期アタッチメントプロシージャ中、５ＧＣ  ＮＡＳとＥＰＣ  ＮＡＳの両方をサポートするＵＥは、５Ｇ  ＮＡＳのそのサポートをＵＥネットワーク能力の中で示す必要があり得る。たとえば、５ＧＣ２２０への登録中、５ＧＣ  ＮＡＳとＥＰＣ  ＮＡＳの両方をサポートするＵＥは、ＥＰＣ  ＮＡＳのそのサポートを示す必要があり得る。この表示は、ＥＰＣ  ＮＡＳと５ＧＣ  ＮＡＳの両方をサポートするＵＥのためのＳＭＦ＋ＰＧＷ−Ｃ２３６の選択に向けて優先度を与えるために使用され得る。
【０１１９】
[00131]ＥＰＣ２１０との相互作用をサポートするネットワークは、ＭＭＥ−ＡＭＦインターフェース２５０を使用する相互作用プロシージャ、またはＭＭＥ−ＡＭＦインターフェース２５０を使用しない相互作用プロシージャをサポートし得る。ＭＭＥ−ＡＭＦインターフェース２５０を伴う相互作用プロシージャは、５ＧＣ  ＮＡＳとＥＰＣ  ＮＡＳとをサポートするＵＥへのシステム間モビリティにおけるＩＰアドレス連続性を提供することをサポートし得る。ＭＭＥ−ＡＭＦインターフェース２５０を伴わない相互作用プロシージャをサポートするネットワークは、単一登録モードと二重登録モードの両方で動作するＵＥへのシステム間モビリティにおけるＩＰアドレス連続性を提供するためのプロシージャをサポートし得る。
【０１２０】
[00132]いくつかの例では、ＥＰＣ２１０の中でのＵＥプロシージャに対する「初期アタッチ」、「ハンドオーバアタッチ」、および「ＴＡＵ」という用語は、代替として、ＵＥ構成に応じて、複合ＥＰＳ／国際移動加入者識別情報（ＩＭＳＩ：International Mobile Subscriber Identity）アタッチ、および／または複合トラッキングエリア（ＴＡ：Tracking Area）／ロケーションエリア（ＬＡ：Location Area）であり得る。
【０１２１】
[00133]一態様では、ＭＭＥ−ＡＭＦインターフェース２５０を使用する相互作用プロシージャは、ソースネットワークとターゲットネットワークとの間での、ＭＭ状態とセッション管理（ＳＭ：session management）状態との交換を可能にし得る。ハンドオーバプロシージャは、ＭＭＥ−ＡＭＦインターフェース２５０を用いてサポートし得る。ＭＭＥ−ＡＭＦインターフェース２５０を伴う相互作用プロシージャが使用されるとき、ＵＥは単一登録モードで動作し得る。ネットワークは、ＡＭＦ２２２またはＭＭＥ２１２のいずれかの中に、ＵＥに対する有効なＭＭ状態を１つだけ維持し得る。一例では、ＡＭＦ２２２またはＭＭＥ２１２のいずれかが、ＨＳＳ＋ＵＤＭ２３２の中に登録される。
【０１２２】
[00134]いくつかの例では、５ＧＣ２２０の中のＡＭＦ２２２とＥＰＣ２１０の中のＭＭＥ２１２との間のＭＭＥ−ＡＭＦインターフェース２５０に対するサポートは、システム間変更に対する（たとえば、音声サービス用の）シームレスなセッション連続性を可能にすることを必要とされ得る。
【０１２３】
[00135]ＵＥが単一登録モードをサポートし、ネットワークがＭＭＥ−ＡＭＦインターフェース２５０を伴う相互作用プロシージャをサポートするとき、（ａ）ＵＥは、５ＧＣ２２０からＥＰＣ２１０へのアイドルモードモビリティのために、古いネイティブＧＵＴＩとして送られた５Ｇ−ＧＵＴＩからマッピングされるＥＰＳ  ＧＵＴＩを用いたＴＡＵプロシージャを実行し得る。ＵＥが、確立されたＰＤＵセッションを有する場合、またはＵＥもしくはＥＰＣが「ＰＤＮ接続性なしのアタッチ」をサポートする場合、ＭＭＥ２１２は、５ＧＣ２２０からＵＥのＭＭコンテキストとＳＭコンテキストとを取り出してよい。ＵＥが５ＧＣ２２０におけるＰＤＵセッションを伴わずに登録され、ＵＥまたはＥＰＣ２１０がＰＤＮ接続性なしのアタッチをサポートしない場合、ＵＥはアタッチプロシージャを実行してよい。５ＧＣ２２０からＥＰＣ２１０への接続モードモビリティに対して、システム間ハンドオーバが実行されてよい。ＴＡＵ中またはアタッチプロシージャ中、ＨＳＳ＋ＵＤＭ２３２は、いかなるＡＭＦ登録も消去してよく、（ｂ）ＵＥは、ＥＰＣ２１０から５ＧＣ２２０へのアイドルモードモビリティのために、古いＧＵＴＩとして送られたＥＰＳ  ＧＵＴＩを用いて登録プロシージャを実行し得る。ＡＭＦ２２２およびＳＭＦ＋ＰＧＷ−Ｃ２３６は、ＥＰＣ２１０からＵＥのＭＭコンテキストとＳＭコンテキストとを取り出してよい。ＥＰＣ２１０から５ＧＣ２２０への接続モードモビリティのために、システム間ハンドオーバが実行される。登録プロシージャ中、ＨＳＳ＋ＵＤＭ２３２は、いかなるＭＭＥ登録も消去してよい。
【０１２４】
[00136]いくつかの例では、相互作用は、ＭＭＥ−ＡＭＦインターフェース２５０を用いずに行われてよい。この例では、ＩＰアドレス連続性は、ＨＳＳ＋ＵＤＭ２３２を介してＳＭＦ＋ＰＧＷ−Ｃ情報と対応するＡＰＮ／ＤＤＮ情報とを記憶およびフェッチすることによって、システム間モビリティにおいてＵＥに提供され得る。そのようなネットワークはまた、５ＧＣにおける初期登録中に二重登録モードがＵＥに対してサポートされるという表示を提供し得る。この表示は、全体的なＰＬＭＮに対して有効であり得る。二重登録モードで動作するＵＥは、早期にターゲットシステムの中に登録すべきかどうかを決定するために、この表示を使用し得る。単一登録モードで動作するＵＥは、この表示を使用してよい。
【０１２５】
[00137]ＭＭＥ−ＡＭＦインターフェース２５０を伴わない相互作用プロシージャは、以下の２つの項目を使用し得る。すなわち、（１）５ＧＣ２２０の中でＰＤＵセッションが作成されると、ＳＭＦ＋ＰＧＷ−Ｃ２３６は、ＨＳＳ＋ＵＤＭ２３２の中のＤＮＮと一緒にその情報を更新してよく、またはＨＳＳ＋ＵＤＭ２３２は、動的に割り振られたＳＭＦ＋ＰＧＷ−Ｃ情報およびＡＰＮ／ＤＮＮ情報についての情報を、ターゲットＣＮネットワークに提供してよい。
【０１２６】
[00138]いくつかの例では、二重登録モードＵＥに対してモビリティをサポートするために、以下の追加の項目もネットワークによってサポートされ得る。（３）ＭＭＥ２１２は、ＵＥがＥＰＣ２１０の中で初期アタッチを実行し、古いノードがＡＭＦ２２２であったという表示を提供するとき、「初期アタッチ」インジケータをＨＳＳ＋ＵＤＭ２３２へ含めなくてよい。このことは、ＨＳＳ＋ＵＤＭ２３２が、もしあれば、ＡＭＦ２２２の登録を消去しない結果となり得、（４）ＡＭＦ２２２は、ＵＥが５ＧＣ２２０の中で初期登録を実行しＥＰＳ  ＧＵＴＩを提供するとき、「初期アタッチ」インジケータをＨＳＳ＋ＵＤＭ２３２へ含めなくてよい。このことは、ＨＳＳ＋ＵＤＭ２３２が、もしあれば、ＭＭＥ２１２の登録を消去しない結果となり得、または（５）ＭＭＥ２１２は、ＰＤＮ接続がＥＰＣ２１０の中に作成されるとき、ＳＭＦ＋ＰＧＷ−Ｃ情報とＡＰＮ情報とをＨＳＳ＋ＵＤＭ２３２の中に記憶してよい。
【０１２７】
[00139]いくつかの例では、ネットワークは、ＵＥが５ＧＣ２２０からＥＰＣ２１０に移動するとき、単一登録モードで動作しているＵＥにＩＰアドレス保存を提供するために、上記の項目３をサポートし得る。いくつかの例では、ネットワークは、ＵＥがＥＰＣ２１０から５ＧＣ２２０に移動するとき、単一登録モードで動作しているＵＥにＩＰアドレス保存を提供するために、以下で説明する項目６と一緒に、上記で説明した項目４と項目５とをサポートし得る。以下の項目（６）では、ＡＭＦ２２２は、ＵＥが５ＧＣ２２０の中でモビリティ登録を実行しＥＰＳ  ＧＵＴＩを提供するとき、古いノードがＭＭＥ２１２であることを決定してよく、プロシージャを進めてよく、登録受諾メッセージの中で「ＥＰＣがサポートされるハンドオーバＰＤＵセッションセットアップ」表示をＵＥに提供してよい。
【０１２８】
[00140]一態様では、モビリティは、単一登録モードでのＵＥに対して提供され得る。たとえば、ＵＥが単一登録モードサポートし、ネットワークが、ＭＭＥ−ＡＭＦインターフェース２５０を伴わない相互作用プロシージャをサポートするとき、（ａ）５ＧＣからＥＰＣへのモビリティの場合、二重登録モードがサポートされるというネットワーク表示を受信しているＵＥは、（１）ＰＤＮ  ＣＯＮＮＥＣＴＩＶＩＴＹ要求メッセージの中に要求タイプ「ハンドオーバ」を有するＥＰＣにおいてアタッチを実行し、その後、要求タイプ「ハンドオーバ」フラグを有する、ＵＥが要求したＰＤＮ接続性確立プロシージャを使用する、そのすべての他のＰＤＵセッションを移動させること、または（２）５Ｇ−ＧＵＴＩからマッピングされた４Ｇ−ＧＵＴＩを用いてＴＡＵを実行することであって、その場合、ＭＭＥ２０２が再アタッチするようにＵＥに命令し得ることのうちの、いずれかを行ってよい。この場合、ＩＰアドレス保存は提供されない。一例では、最初のＰＤＮ接続は、Ｅ−ＵＴＲＡＮ初期アタッチプロシージャ中に確立され得る。いくつかの例では、ＰＬＭＮ間モビリティにおいて、ＵＥはＴＡＵプロシージャを使用してよく、または（ｂ）ＵＥは、ＥＰＣから５ＧＣへのモビリティのために、ＥＰＳ  ＧＵＴＩからマッピングされた５Ｇ−ＧＵＴＩを用いて、５ＧＣの中でタイプ「モビリティ登録更新」の登録を実行してよい。ＡＭＦ２０４は、古いノードがＭＭＥ２０２であることを決定してよいが、登録が「初期登録」というタイプのものであるかのように進める。一例では、登録受諾は、ＵＥへの「ハンドオーバＰＤＵセッションセットアップサポート」表示を含む。この表示に基づいて、ＵＥは、その後、（１）「既存ＰＤＵセッション」フラグを有する、ＵＥが開始したＰＤＵセッション確立プロシージャを使用するＥＰＣから、ＵＥのすべてのＰＤＮ接続を移動させること、または（２）ＵＥがＥＰＳの中に有したＰＤＮ接続に対応するＰＤＵセッションを再確立することのうちの、いずれかを行ってよい。この場合、ＩＰアドレス保存は提供されなくてよい。
【０１２９】
[00141]一態様では、二重登録モードでのＵＥに対してモビリティが提供されてよい。たとえば、二重登録モードでのモビリティをサポートするために、５ＧＣの中のＡＭＦ２０４とＥＰＣの中のＭＭＥ２０２との間のＭＭＥ−ＡＭＦインターフェース２５０のサポートは、必要とされなくてよい。代わりに、二重登録モードで動作しているＵＥに対して、５ＧＣからＥＰＣへのＰＤＵセッション転送のために以下の原理が適用され得る。すなわち、（ａ）ＥＰＣが、ＰＤＮ接続性を伴わないＥＰＳアタッチをサポートする場合、二重登録モードで動作しているＵＥは、ＥＰＣの中にＰＤＮ接続を確立することなくアタッチプロシージャを使用して、いかなるＰＤＵセッション転送よりも先にＥＰＣの中に登録してよい。いくつかの例では、ＰＤＮ接続性を伴わないＥＰＳアタッチに対するサポートは、二重登録プロシージャをサポートするＵＥにとって必須であり得る。ＥＰＣの中で早期の登録を試みる前に、ＵＥは、ターゲットセルの中の関連するＳＩＢを読み取ることによって、ＥＰＣが、ＰＤＮ接続性を伴わないＥＰＳアタッチをサポートするかどうかを、チェックする必要があり得、（ｂ）ＵＥは、ＰＤＮ接続要求メッセージの中に「ハンドオーバ」表示を有する、ＵＥが開始したＰＤＮ接続確立プロシージャを使用して、５ＧＣからＥＰＣへのＰＤＵセッション転送を実行してよく、（ｃ）ＵＥがＰＤＵセッション転送よりも前にＥＰＣに登録していない場合、ＵＥは、ＰＤＮ接続要求メッセージの中に「ハンドオーバ」表示を有するＥＰＣの中でアタッチを実行することができ、（ｄ）ＵＥは、５ＧＣの中に他のＰＤＵセッションを保ちながら、いくつかのＰＤＵセッションを選択的にＥＰＣに転送してよく、（ｅ）ＵＥは、両方のシステムの中に周期的に再登録することによって、５ＧＣとＥＰＣの両方の中に最新の登録を保持してよい。いくつかの例では、５ＧＣまたはＥＰＣのいずれかの中での登録が（たとえば、モバイル到達可能タイマー満了時に）タイムアウトする場合、対応するネットワークは、暗黙的なデタッチタイマーを開始してよい。いくつかの例では、ＵＥがＥＰＣ側において一部または全部のＰＤＵセッションを転送するかどうか、およびＵＥがＥＰＣと５ＧＣの両方の中に最新の登録を保持するかどうかは、実装依存であるＵＥ能力に依存することができる。いくつかの例では、ＥＰＣ側においてどのＰＤＵセッションが転送されるのかを決定するための情報、およびトリガは、ＵＥの中で事前構成され得る。
【０１３０】
[00142]一態様では、二重登録モードで動作しているＵＥに対して、ＥＰＣから５ＧＣへのＰＤＮ接続転送のために以下の原理が適用され得る。すなわち、（ａ）二重登録モードで動作しているＵＥは、５ＧＣの中にＰＤＵセッションを確立することなく登録プロシージャを使用して、いかなるＰＤＮ接続転送よりも前に５ＧＣの中に登録してよく、（ｂ）ＵＥは、「既存ＰＤＵセッション」表示を有する、ＵＥが開始したＰＤＵセッション確立プロシージャを使用して、ＥＰＣから５ＧＣへのＰＤＮ接続転送を実行してよく、（ｃ）ＵＥは、ＵＥがＰＤＮ接続転送よりも前に５ＧＣに登録していない場合、ＰＤＵセッション要求メッセージの中に「既存ＰＤＵセッション」表示を有する５ＧＣの中で登録を実行してよい。いくつかの例では、ＰＤＵセッション要求と組み合わせられた登録のサポートは、依然として未決定であり得るとともに様々な方法で実施されてよく、（ｄ）ＵＥは、ＥＰＣの中の他のＰＤＮ接続を保ちながら、いくつかのＰＤＮ接続を選択的に５ＧＣに転送してよく、（ｅ）ＵＥは、両方のシステムの中に周期的に再登録することによって、ＥＰＣと５ＧＣの両方の中に最新の登録を保持してよい。いくつかの例では、ＥＰＣまたは５ＧＣのいずれかの中での登録が（たとえば、モバイル到達可能タイマー満了時に）タイムアウトする場合、対応するネットワークは、暗黙的なデタッチタイマーを開始してよい。一例では、ＵＥが５ＧＣ側において一部または全部のＰＤＮ接続を転送するかどうか、およびＵＥが５ＧＣとＥＰＣの両方の中に最新の登録を保持するかどうかは、実装依存であるＵＥ能力に依存することができる。いくつかの例では、５ＧＣ側においてどのＰＤＮ接続が転送されるのかを決定するための情報、およびトリガは、ＵＥの中で事前構成され得る。一例では、ＥＰＣが、ＰＤＮ接続性を伴わないＥＰＳアタッチをサポートしない場合、ＭＭＥ２０２は、（非３ＧＰＰアクセスへの最後のＰＤＮ接続の転送に関して）最後のＰＤＮ接続がＰＧＷによって解放されると、ＵＥをデタッチしてよく、または（ｆ）ネットワークは、モバイル電気通信（ＭＴ）サービス（たとえば、ＭＴ  ＳＭＳ）を求める制御プレーン要求を送るとき、ＥＰＣもしくは５ＧＣのいずれかを介して制御プレーンをルーティングしてよい。いくつかの例では、ＵＥ応答がない場合、ネットワークは、他のシステムを介して制御プレーン要求をルーティングすることを試みてよい。一例では、ネットワークがそれを通じて制御プレーン要求を最初に配送しようと試みるシステムの選択は、ネットワーク構成によって決定されてよい。
【０１３１】
[00143]ＥＰＣの中の専用コアネットワーク（ＤＣＮ）、５ＧＣにおけるネットワークスライシング、およびＥＰＣ／５ＧＣ相互作用の使用に関する上記の説明に鑑みて、以下の考慮が必要とされる場合がある。
【０１３２】
[00144]５ＧＣネットワークにおけるネットワークスライシングメカニズムの展開とともに、５ＧＣとＥＰＣとの間の相互作用に対して３つのシナリオ、すなわち、（１）ＤｅｃｏｒまたはｅＤｅｃｏｒをサポートしないＥＰＣとの相互作用、（２）ＤｅｃｏｒをサポートするＥＰＣとの相互作用、および（３）ｅＤｅｃｏｒをサポートするＥＰＣとの相互作用が、考慮される必要がある。
【０１３３】
[00145]また、５ＧＣ／ＥＰＣ相互作用解決策を考慮すると、以下の事例、すなわち、（１）ネットワークの中の単一登録ＵＥがＭＭＥ−ＡＭＦインターフェースをサポートすること、（２）ネットワークの中の単一登録ＵＥが（ＭＭＥ−ＡＭＦインターフェースを伴わない）二重登録をサポートすること、および（３）ネットワークの中の二重登録ＵＥが二重登録をサポートすることを、考慮することが重要である。
【０１３４】
[00146]５ＧＣの中でのネットワークスライスの展開は、事業者ＥＰＣがサポートするＤＣＮと、事業者によって協調される必要があり得る。複数のシナリオは、たとえば、（ａ）各５ＧＣネットワークスライスが特定のＤＣＮに対応し得ること（すなわち、１：１のマッピング）、および（ｂ）複数の５ＧＣネットワークスライスが特定のＤＣＮに対応すること（すなわち、Ｎ：１のマッピング）が、考慮される必要があり得る。
【０１３５】
[00147]一例では、２つのネットワークスライスが５ＧＣの中で「相互排他的」である（たとえば、ＵＥが一方のスライスか、または他方のスライスに接続され得る）場合、これらの２つのネットワークスライスがＥＰＣの中の異なるＤＣＮに対応することが予想され得る。
【０１３６】
[00148]シナリオのこれらの組合せに対する問題は次のように要約され得る。すなわち、（ａ）ＥＰＣはネットワークスライシングという概念を有さず、ネットワークスライシングのサポートのためにＵＥおよび５ＧＣによって使用される情報を理解しない。（ｂ）複数のネットワークスライスのサポートがスライス共存問題を有する（すなわち、ＵＥが加入している先のすべてのネットワークスライスがＡＭＦによって同時にサポートされ得るとは限らず、したがって、サービングＡＭＦがＵＥのためのネットワークスライスのいかなる組合せもサポートできない）場合、特定のＡＭＦは、ＵＥが加入するネットワークスライスのサブセットに対して、ＵＥにサービスするように選択される必要があり得る。このことは、許容ＮＳＳＡＩをＵＥに戻すことによってスライシングメカニズムの定義の中で対処されており、ここで、ネットワークは、許容ＮＳＳＡＩの中のＳ−ＮＳＳＡＩ（スライス）が共存できることを確実にする。しかしながら、５ＧＣの中でのネットワークスライスのセットへの接続性を確立した後にＵＥがＥＰＣに移動するとき、またはＵＥが最初にＥＰＣの中での接続性を確立するとき、（１）ＤｅｃｏｒおよびｅＤｅｃｏｒを伴わないＥＰＣは、ＵＥが接続する必要があるネットワークスライスに対応するすべてのＰＤＮ接続をサポートし得るとは限らないか、または（２）ＤｅｃｏｒもしくはｅＤｅｃｏｒを伴うＥＰＣの中で、ＵＥが接続する必要があるすべてのネットワークスライスをサポートするＤＣＮが存在しないことがあるかの、いずれかである。
【０１３７】
[00149]このことは、ＵＥが５ＧＣからＥＰＣに移動するときか、または複数のスライシングをサポートしアプリケーション／サービスをネットワークスライスにマッピングするために構成された５ＧＣ ＵＥが、最初にＥＰＣの中での接続性を確立するときのいずれかに、適切な接続性が、Ｄｅｃｏｒを伴わないＥＰＣによって提供される必要があり得るか、または適切なＤＣＮがＵＥのために選択され得ることを意味する。このことは、（ａ）５ＧＣからＤｅｃｏｒを伴わないＥＰＣに移動するとき、ＵＥがそれに対して５ＧＣの中にユーザプレーン接続性を確立しているネットワークスライスに対応するＰＤＵセッションが、ＥＰＣに移動させられる必要があり得ることを意味する。一例では、すべてのそのようなＰＤＵがＥＰＣによってサポートされ得るとは限らず、いくつかは欠落／拒絶されることがある。一例では、ＥＰＣの中にある間に、ＵＥは追加のＰＤＮ接続をアクティブ化してよい。いくつかの例では、ＵＥが５ＧＣに移動するとき、５ＧＣは、アクティブなＰＤＮ接続を適切なスライスにマッピングするコンテキスト情報を有しないことがあり、したがって、５ＧＣは、（１）必要とされるネットワークスライスをサポートするための適切なサービングＡＭＦを選択すること、または（２）ＵＥが接続されることを必要とするネットワークスライスへアクティブなＰＤＵセッションを「分散させること」ができない場合があり、（ｂ）５ＧＣからＤｅｃｏｒまたはｅＤｅｃｏｒを伴うＥＰＣに移動するとき、上記に記載した問題に加えて、正しいＤＣＮが、ＵＥにサービスするために選択される必要があり得る。一例では、ハンドオーバの事例とアイドルモードモビリティの事例の両方において、このことが可能となる必要があり得る。
【０１３８】
[00150]以下のステップは、上記で説明した問題を解決するために現在の方法によって生み出される問題を説明する。一態様では、「ＵＥがＥＣＭ−ＩＤＬＥ状態またはＣＭ−ＩＤＬＥ状態にある場合、モビリティは、ＥＰＳにおけるＴＡＵ（または、それがターゲットシステムにおける最初のモビリティイベントである場合はアタッチ）と、５ＧＳにおける登録プロシージャとをトリガする。これらのプロシージャは、正当なＤＣＮまたはネットワークスライス（のセット）の中にＵＥを配置するのに十分である。」しかしながら、この記述は完全に適切または正確であるとは限らない。実際は、以下のことが検討される必要があり得る。すなわち、（ａ）ＥＰＣから５ＧＣへのアイドルモードモビリティの場合、ＥＰＣの中で（単一無線の場合、ＵＥが最初に５ＧＣの中に登録され、次いでＥＰＣに移動させられるのか、それとも最初にＥＰＣの中に登録されるのかとは無関係に）、ＵＥは各々がＡＰＮに対応するＰＤＮ接続のセットを有してよい。これらのＰＤＮ接続は、５ＧＣから転送されたＰＤＵセッション、もしくはＥＰＣの中で直接確立されたＰＤＵセッション、またはその両方の組合せに対応し得る。事業者が、特定のスライスへの接続性のために汎用ＡＰＮまたは非スライス固有／専用ＡＰＮを使用し、ＥＰＣを介した使用のための対応するＡＰＮを有する場合、（１）単一登録ＵＥおよびＭＭＥ−ＡＭＦインターフェースなしの場合には、ＵＥが５ＧＣの中で登録を実行するとき、ＵＥは、必要とされる要求されたＮＳＳＡＩを提供することができ、したがって、正しいＡＭＦおよびスライスのセットが選択され得、（２）二重登録の場合には、ＵＥが５ＧＣの中で登録を実行するとき、ＵＥは、必要とされる要求されたＮＳＳＡＩを提供することができ、したがって、正しいＡＭＦおよびスライスのセットが選択され得、または（３）しかしながら、単一登録ＵＥおよびＭＭＥ−ＡＭＦインターフェースの場合には、ＵＥが５ＧＣの中で登録を実行しコンテキストがＭＭＥから取り出されるとき、ＡＭＦは、ＰＤＵセッションと対応するＡＰＮとを含むコンテキストだけを受信してよいが、（アクティブなＰＤＵセッションをサポートするために）ＵＥが接続される必要があるネットワークスライス、もしくはＰＤＵセッションと任意のスライスとの間のマッピングを識別することになる、いかなるスライシング情報も受信しなくてよい。
【０１３９】
[00151]別の態様では、「ＡＭＦにおけるＵＥ  ＣＭ状態が５ＧＣにおけるＣＭ−ＣＯＮＮＥＣＴＥＤであり、ＥＰＳへのハンドオーバが行われるとき、ＡＭＦは、ターゲットＭＭＥを選択し、ＭＭＥ−ＡＭＦインターフェースを介して、選択されたＭＭＥにＵＥコンテキストを発送する。」ＥＰＣは、スライシングのいかなる考慮も伴うことなく、ターゲット５Ｇ−ＲＡＮノードのロケーションのみに基づいてＡＭＦを選択することができ、このことは、モビリティを可能にするために異なるスライスに潜在的に対応するすべてのＰＤＵセッションを同時にサポートすることが可能でなければならない、「汎用ＡＭＦ」として選択されるそのＡＭＦを暗示する。ＵＥがハンドオーバの終わりにおいて登録プロシージャを実行すると、ＵＥは、実際の要求されたＮＳＳＡＩを提供することができ、ＡＭＦ再配置が起こる必要があり得る。しかしながら、５ＧＣは、ハンドオーバを可能にするようにそのような「汎用ＡＭＦ」を展開しなければならない。
【０１４０】
[00152]別の態様では、「ＵＥがＥＰＣにおけるＥＣＭ−ＣＯＮＮＥＣＴＥＤであり、５ＧＳへのハンドオーバを実行すると．．．ハンドオーバが完了すると、ＵＥは登録プロシージャを実行する。このことは、ターゲット５ＧＳの中でのＵＥ登録を完了し、このことの一部として、ＵＥは許容ＮＳＳＡＩを取得する。」複数の５ＧＣスライスが特定のＤＣＮに対応する場合には、ＵＥが１つまたは複数のアクティブなＰＤＮ接続を用いて所与のＤＣＮへのＥＰＣに接続されると、ＥＰＣから５ＧＣへのモビリティにおいて、いくつかの時間において明示的な情報が５ＧＣに提供されない限り、５ＧＣは、所与のＰＤＵセッションがどのスライスに対応するのかを知るための方法を有しないことがある。このことは、特に所与のＡＰＮが複数のＳ−ＮＳＳＡＩに適用され得る（すなわち、スライス固有でないＡＰＮ）場合に真実であり得る。
【０１４１】
[00153]別の態様では、「二重登録モードで動作しているＵＥは、ＥＰＣが、ＰＤＮ接続性を伴わないＥＰＳアタッチをサポートする場合、ＥＰＣの中にＰＤＮ接続を確立することなくアタッチプロシージャを使用して、いかなるＰＤＵセッション転送よりも前にＥＰＣの中に登録してよい。」このシナリオでは、そのような方法でＵＥのためのＤＣＮを正しく選択して、ＵＥが５ＧＣを介して接続される先のスライスとの正しい相互作用を可能にするために、十分な情報が存在しないことがある。詳細には、ＥＰＣメカニズムに基づいて、（ａ）Ｄｅｃｏｒがサポートされるとき、ＭＭＥ／ＤＣＮは、単にＥＰＣ加入情報に基づいて選択されてよい。正しいＤＣＮが選択されることを確実にするために、ＵＥが５ＧＳを介して要求していることがあるスライスの任意の組合せにマッピングできるＵＥ使用タイプが必要とされ、そのことは、すべての事例において現実的であり得るとは限らない。また、このことは、スライスの任意の組合せをサポートするＤＣＮが存在することを必要とし得る。このことが事実でない場合、ＵＥがＰＤＵセッションをＥＰＣに移動させるとき、単に、選択されるＤＣＮが加入情報のみに基づいていたので、ＥＰＣの中に適切なＤＣＮが存在したとしてもＰＤＵセッションは欠落され、（ｂ）ｅＤｅｃｏｒがサポートされるとき、そのような値が存在することが可能である場合、ＵＥが５ＧＳを介してそこへの接続性を有するスライスのセット（または、サブセット）へのＤＣＮ  ＩＤマッピングが、ＵＥによって提供される必要があり得、または（ｃ）「ＵＥがＰＤＵセッション転送よりも前にＥＰＣに登録していない場合、ＵＥは、ＰＤＮ接続要求メッセージの中に「ハンドオーバ」表示を有するＥＰＣの中でアタッチを実行することができる」という記述に同じことが適用されてよい。
【０１４２】
[00154]別の態様では、「二重登録モードで動作しているＵＥは、５ＧＣの中にＰＤＵセッションを確立することなく登録プロシージャを使用して、いかなるＰＤＮ接続転送よりも前に５ＧＣの中に登録してよい。ＵＥは、「既存ＰＤＵセッション」表示を有する、ＵＥが開始したＰＤＵセッション確立プロシージャを使用して、ＥＰＣから５ＧＣへのＰＤＮ接続転送を実行する。」ｅＤＥＣＯＲは使用されないがネットワークがＤＣＮをサポートする場合、ＵＥは、ＵＥのために選択されたＤＣＮに気づいていないことがある。確立されたＰＤＮ接続を正しいスライスに移動させるために、ＵＥが５ＧＣの中での登録プロシージャにおいて提供する要求されたＮＳＳＡＩに基づいて、（ａ）ＥＰＣの中で選択されるＤＣＮと５ＧＣ上のスライスのセットとの間に対応がある必要があり得る。最低でも、ＰＧＷ／ＳＭＦが適切なスライスの一部であることを確実にするために、ＰＤＮ接続がＥＰＣの中に確立された場合、正しいＰＧＷ／ＳＭＦノードが選択されている必要があり得、または（ｂ）ＰＤＮ接続のためにＥＰＣを介して使用されるＡＰＮと５ＧＣの中のＰＤＵセッションに対して使用される「ＡＰＮ＋Ｓ−ＮＳＳＡＩ」という組合せとの間に、対応がある必要があり得、または（ｃ）「ＵＥがＰＤＮ接続転送よりも前に５ＧＣに登録していない場合、ＵＥは、ＰＤＵセッション要求メッセージの中に「既存ＰＤＵセッション」表示を有する５ＧＣの中での登録を実行することができる」ということを述べているテキストに、同じことが適用されてよい。
【０１４３】
[00155]別の態様では、ＵＥがＥＰＣの中でアタッチまたはＴＡＵを実行し、ＤＣＮ情報が利用可能でないとき、ＭＭＥは、他の要因に従ってＲＡＮによって選択されてよい。このことが、単一登録ＵＥが５ＧＣからＥＰＣへのアイドルモードモビリティを実行しているシナリオに対応する場合、選択されるＭＭＥは、５ＧＣの中のアクティブなＰＤＮセッションおよび対応するスライスに基づいてＵＥにサービスすべき、正しいＤＣＮに属さないことがある。ＥＰＣの中のＤＣＮに対して現在標準化されたメカニズムによれば、（ａ）ＭＭＥは、ＭＭＥがＵＥにサービスできるかどうかを決定するための十分な情報を有しない場合、ＭＭＥは、ＵＥ使用タイプを要求するＨＳＳへ認証情報要求メッセージを送ってよい。ＨＳＳは、ＤＣＮをサポートする場合、認証情報返答メッセージの中でＵＥ使用タイプを提供してよい。したがって、ＭＭＥは、ＭＭＥがＵＥにサービスできるかどうか、または異なるＤＣＮの中のＭＭＥが選択される必要があるかどうかを決定することができる。しかしながら、ＨＳＳの中に記憶されるＵＥ使用タイプは、５ＧＣの中のＵＥに対してアクティブなスライスのセットに整合しないことがある半静的な構成パラメータである。このことは、特に、共存できないスライスを含む様々なスライスに加入するデバイスに対して真実であり、あるいは（ｂ）ＭＭＥ間のアイドルモードモビリティもしくはＵＥ、またはＡＭＦとＭＭＥとの間の単一登録ＵＥのアイドルモードモビリティの場合には、ＵＥがＭＭプロシージャ（たとえば、ＴＡＵ）をトリガしＲＡＮがＭＭＥを選択した後、ターゲットＭＭＥは、ターゲットノードからＭＭコンテキストとＳＭコンテキストとを受信する。しかしながら、そのようなシナリオでは、選択されるＭＭＥがＵＥにサービスできるかどうか、またはＭＭ／ＳＭコンテキストに基づく別のＭＭＥへの方向転換が必要とされるかどうかを、そうしたＭＭＥが決定するためのメカニズムが規定されていない。
【０１４４】
[00156]５ＧＳネットワークスライシングとＥＰＣ接続性との間の相互作用を可能にするための技法またはメカニズムを提供する、様々な解決策が以下で説明される。これらの解決策は、以下の態様のうちの１つまたは複数を伴う。すなわち、（ａ）スライスに（すなわち、Ｓ−ＮＳＳＡＩ）およびＤＮＮにだけでなく、ＵＥがＥＰＣの中にあるときに使用されるべきＡＰＮにも、アプリケーションをマッピングするように、ＮＳＳＰポリシーを拡張し、（ｂ）ＵＥがＥＰＣに移動するとき、またはＵＥがＥＰＣの中にある間に新たなＰＤＮ接続が作成されるとき、アクティブなＰＤＮ接続と対応するＳ−ＮＳＳＡＩとの間のマッピングを保持するように、ＵＥ機能を拡張する。ＵＥは、ＥＰＣから５ＧＣに移動するときにそのような情報を使用してよく、それをＲＭプロシージャ（たとえば、登録プロシージャ）中にＡＭＦに提供し、（ｃ）ＵＥに割り当てられた許容Ｓ−ＮＳＳＡＩの中のＳ−ＮＳＳＡＩのセットからＥＰＣの中のＤＣＮまでの間のマッピングとともに構成されるように、ＡＭＦを拡張し、（ｄ）ＡＭＦが許容ＮＳＳＡＩの中のＳ−ＮＳＳＡＩとＥＰＣの中のＤＣＮとの間のマッピングを考慮してＳＭＦを選択することを確実にして、選択されたＳＭＦ／ＰＧＷ−Ｃが許容ＮＳＳＡＩからのマッピングされたＤＣＮの一部であることを確実にするように、ＳＭＦ／ＰＧＷ−Ｃ選択機能を拡張し、または（ｅ）ＨＳＳの中に保持されるＵＥ使用タイプが、許容ＮＳＳＡＩに基づいてＡＭＦによって設定されるとともに、許容ＮＳＳＡＩがＵＥに割り振られるときにＨＳＳにプッシュされる、一時的ＵＥ使用タイプを用いて増補されることを確実にする。ＭＭＥがＵＥ使用タイプをＨＳＳに尋ねるとき、一時的ＵＥ使用タイプが設定されている場合、ＨＳＳはそのような値を提供する。このようにして、ＭＭＥは、加入情報のみならず動的情報に基づいて、ＵＥにサービスするＤＣＮを選択することができる。
【０１４５】
[00157]より詳細には、上記で説明した解決策は、１つまたは複数のメカニズムを伴う。一態様では、（１）ＵＥが保持する接続は、スライシング情報にマッピングされてよい。一例では、ネットワークスライシングを有する５ＧＣに接続するとき、ＵＥは、アプリケーションに対して使用されるべきＳ−ＮＳＳＡＩ（および、ＤＮＮ）を選択するために、構成済みのＮＳＳＰを使用してよい。構成済みのＮＳＳＡＩと組み合わせて、このことは、ＵＥの中のサービス／アプリケーションをサポートするために、必要とされる要求されたＮＳＳＡＩをＵＥが構築することを可能にし得る。ＥＰＣとの相互作用を可能にするために、ＵＥは、＜ＤＮＮ，Ｓ−ＮＳＳＡＩ＞からアクティブなＰＤＵセッションごとのＰＤＵセッションＩＤへの、アクティブなＰＤＵセッションごとのマッピングを保持し得る。いくつかの例では、ＵＥは、ＵＥがＥＰＣの中にある間に新たなＰＤＮ接続が作成されることに応答して、対応するＮＳＳＡＩをプロトコル構成オプション（ＰＣＯ：Protocol Configuration Option）フィールドの中で受信し得る。
【０１４６】
[00158]いくつかの例では、アプリケーション／サービスに対する＜ＤＮＮ，Ｓ−ＮＳＳＡＩ＞マッピングごとに、ＥＰＣの中で使用されるＡＰＮが５ＧＣの中で使用されるＤＮＮとは異なる場合、ＮＳＳＰはまた、ＥＰＣに接続されるときに（すなわち、ＥＰＣに接続された３ＧＰＰアクセスを用いるか、または非３ＧＰＰアクセスを介するか（たとえば、信頼できない非３ＧＰＰおよびｅＰＤＧを介するか）のいずれかで、ＥＰＣに接続されながら、ＵＥがＰＤＮ接続を確立するときに）、ＵＥによって使用されるべきＡＰＮへのマッピングを含んでよい。このようにして、アプリケーションと接続性との単一のマッピングがＵＥの中に存在し得る。
【０１４７】
[00159]いくつかの例では、ＵＥが最初に５ＧＣを介してＰＤＵセッションを確立し、次いでＰＤＵセッションをＥＰＣに移動させるとき、ＥＰＣに移動させられるＰＤＵセッション（二重登録ＵＥの事例での選択的なセット、またはＥＰＣへのモビリティの後にＥＰＣの中でサポートされるＰＤＵセッションのセット）に対して、ＵＥは、ＰＤＮ接続ごとに、＜ＤＮＮ，Ｓ−ＮＳＳＡＩ＞と５ＧＣの中のこのＰＤＵセッションに対して適用されることになるＰＤＵセッションＩＤとの間の、およびＥＰＣの中のＰＤＮ接続に対応するＡＰＮへの、マッピングを保持してよい。このことは、ＵＥがＥＰＣに接続されている間に確立されたＰＤＮ接続にとって特に重要であり得る。
【０１４８】
[00160]いくつかの例では、ＵＥがＥＰＣから５ＧＣに移動するとき（たとえば、単一登録ＵＥの場合、このことは、アイドルモードモビリティおよびＭＭＥ−ＡＭＦインターフェースハンドオーバに適用され、二重無線ＵＥの場合、このことは、ＵＥがＰＤＮ接続を移動させるよりも前か、またはＵＥが最初のＰＤＮ接続から５ＧＳへのモビリティをトリガするときのいずれかに、ＵＥがＥＰＣに接続されるときに５ＧＣの中で実行される登録に適用される）、ＵＥは、Ｓ−ＮＳＳＡＩからＰＤＵセッションＩＤへのマッピングを、および場合によっては、要求されたＮＳＳＡＩに加えてＮＡＳモビリティ管理メッセージ（たとえば、登録要求）の中で、ＰＤＵセッションＩＤから関連するＤＮＮへの、すなわち、５ＧＣへのマッピングを提供してよい。このことは、そのような情報を受信するＡＭＦが、ＥＰＣの中のＵＥにとってアクティブであったＰＤＮ接続にどのネットワークスライスが対応するのかを識別することを可能にし得る。
【０１４９】
[00161]別の態様では、（２）上記の（１）の代替として、ＵＥが５ＧＣからＥＰＣに移動するとき、ＵＥは、ＰＤＵセッションと対応するスライスとの間のマッピング（すなわち、ＰＤＵセッションＩＤからＳ−ＮＳＳＡＩへのマッピング）を含み得る「スライシング情報コンテナ」を、ＮＡＳ  ＭＭプロシージャ（たとえば、ＴＡＵ）の中でＭＭＥに提供してよい。ＭＭＥは、そのような情報を解釈しないことがあるが、それを記憶してよい。いくつかの例では、ＵＥは、ＰＤＮ接続が追加または欠落されるたびにＭＭＥの中の情報を更新してよい（５ＧＣからＥＰＣへのＰＤＵセッションのハンドオーバが、いくつかのＰＤＵセッションが欠落されるという結果になる場合を含めて）。いくつかの例では、ＥＰＣから５ＧＣへのハンドオーバの場合には、またはＡＭＦがアイドルモードモビリティにおいてＭＭＥからコンテキストを取り出すとき、ＭＭＥは、記憶されたコンテナをＡＭＦに提供してよい。ＡＭＦは、ＰＤＵセッションを適切なスライス（すなわち、Ｓ−ＮＳＳＡＩ）にマッピングするために、コンテナの中の情報を使用してよい。
【０１５０】
[00162]別の態様では、（３）前述の解決策に加えて、単一登録ＵＥが最初に５ＧＣに接続し、次いでＥＰＣに移動し、５ＧＣに戻るシナリオの場合、ＡＭＦによって以前に割り振られた５Ｇ ＧＵＴＩをＲＲＣシグナリングの中で提供するのではなく、ＵＥは、ＵＥが接続する先のスライスのセットをサービスできるＡＭＦを、ＲＡＮが選択することを可能にするために、ＵＥによって必要とされるスライスのセットに基づいて、要求されたＮＳＳＡＩのみを提供してよい。ただし、ＵＥはＮＡＳシグナリングの中で５Ｇ ＧＵＴＩを提供してよい。
【０１５１】
[00163]また別の態様では、（４）ＥＰＣに接続するための能力を示すＡＭＦに登録しているＵＥは、ＰＤＵセッション作成中に（たとえば、ＡＭＦまたはＮＳＳＦまたはＮＲＦによって）ＳＭＦが選択されるとき、ＳＭＦを選択するエンティティは、ＳＭＦ選択においてＳ−ＮＳＳＡＩとＤＣＮとの間のマッピングを考慮してよい。ＥＰＣへのモビリティをサポートするために、マッピングの考慮は、正しいＤＣＮの中にあるＳＭＦ／ＰＧＷ−Ｃの選択を可能にするために行われてよい。たとえば、Ｓ−ＮＳＳＡＩ１がＤＣＮ１にマッピングすることになり、Ｓ−ＮＳＳＡＩ２がＤＣＮ２にマッピングすることになる場合、Ｓ−ＮＳＳＡＩ１に対応するＰＤＵセッションに対してＳＭＦが選択されるとき、ＤＣＮ１に属するＳ−ＮＳＳＡＩ１に対するＳＭＦ／ＰＧＷコンボ（combo）が選択される必要があり得る。
【０１５２】
[00164]また別の態様では、（５）ＭＭＥが、ＵＥによって提供されるＵＥ一時的識別子（たとえば、単一登録ＵＥがＭＭＥに提供するマッピングされたＧＵＴＩ、ＵＥが５ＧＣの中でＡＭＦから取得した５Ｇ  ＧＵＴＩからそれを作成する）によって識別される、コアネットワークノード（たとえば、ＡＭＦ）に以前に登録されているＵＥから、アタッチまたはＴＡＵを受信すると、ＭＭＥは、ソースコアネットワークノード（たとえば、ＡＭＦ）からＭＭ／ＳＭコンテキストを取り出してよく、受信されたＭＭ／ＳＭコンテキストに基づいて、ＭＭＥがＵＥにサービスできるかどうか、または別のＤＣＮの中のＭＭＥへの方向転換が必要とされるかどうかを決定してよい。ＭＭＥは、ＭＭ／ＳＭコンテキストの内容に基づいて決定を実行してよい。このことを可能にするために、ＡＭＦは、５Ｇ加入情報とＥＰＣ加入情報の両方と、５Ｇシステムの中で使用されるＤＮＮとＥＰＣの中で使用されるべきＡＰＮとの間のマッピング情報とを、ＨＳＳ／ＵＤＭから受信してよい。ＡＭＦは、ＳＭコンテキストをＭＭＥに提供するとき、ＰＤＵセッションのＰＤＵセッションＩＤと、ＰＤＵセッションのＤＮＮに対応するＡＰＮとを提供してよい。
【０１５３】
[00165]また別の態様では、（６）（５）の代替、ＥＰＣと５ＧＣの両方を展開するネットワークの加入者ごとに、共通のＨＳＳ／ＵＤＭノードがＵＥ使用タイプを記憶してよい。ＨＳＳはまた、ＡＭＦによって設定されている現在のＵＥ使用タイプ値を記憶してよい。
【０１５４】
[00166]いくつかの例では、ＡＭＦは、Ｓ−ＮＳＳＡＩの組合せを使用タイプ値にマッピングするためのマッピング情報とともに構成されてよい。
【０１５５】
[00167]いくつかの例では、ＡＭＦが許容ＮＳＳＡＩをＵＥに割り振るとき、ＡＭＦはまた、マッピングされたＵＥ使用タイプをＨＳＳへ送ってよく、ＨＳＳは、マッピングされたＵＥ使用タイプを現在のＵＥ使用タイプとして記憶してよい。
【０１５６】
[00168]いくつかの例では、ＭＭＥがＵＥ使用タイプをＵＥから取り出すとき、ＨＳＳが、記憶された現在のＵＥ使用タイプを有する場合、ＨＳＳは、現在のＵＥ使用タイプをＵＥに提供してよい。このことは、ＡＭＦを伴うコンテキストを確立した後、ＵＥが、ＭＭＥを伴うアタッチまたはＴＡＵプロシージャを実行するとき、ＭＭＥがＵＥにサービスできるかどうかを決定するために、ＭＭＥの助けとなり得る。このようにして、ＭＭＥは、ＵＥが５ＧＣを介して接続されるスライスをサポートするＤＣＮに対応するサービングＭＭＥを選択することができる。
【０１５７】
[00169]いくつかの例では、随意に、ＨＳＳが一時的ＵＥ使用タイプの新たな値を受信し、ＵＥが５ＧＣへの登録とＥＰＣへの登録とを有することを決定すると、ＨＳＳは、ＵＥ使用タイプ更新をＭＭＥにトリガしてよい。そのような更新を受信すると、ＭＭＥは、受信されたＵＥ使用タイプを記憶してよく、ＵＥ使用タイプが修正されたことを覚えていてよい。ＵＥが、ＭＭＥに向けてシグナリングを実行すると、ＭＭＥは、受信されたＵＥ使用タイプに基づいて、ＭＭＥがＵＥにサービスできるかどうかを決定してよく、そうでない場合、ＭＭＥは、新たなサービングＭＭＥへのＭＭＥ再割振りをトリガする。
【０１５８】
[00170]図３を参照すると、５ＧＳネットワークスライシングとＥＰＣ接続性との間の相互作用のための上述の態様による方法３００の一例のフロー図がそこに示され、方法３００は、本明細書で規定するアクションのうちの１つまたは複数を含む。
【０１５９】
[00171]たとえば、３０２において、方法３００は、ＤＮＮに、およびＵＥがＥＰＣの中にあるときに使用されるべきＡＰＮに、ＮＳＳＰがネットワークスライスへのアプリケーションをマッピングすることを可能にすることを含んでよい。一例として、ＥＰＣの中で使用されるＡＰＮが、５ＧＳの中で使用されるＤＮＮとは異なるとき。たとえば、一態様では、本明細書で説明するデバイスのうちの１つまたは複数が、３０２におけるアクションを実行してよい。
【０１６０】
[00172]３０４において、方法３００は、アプリケーションをマッピングすることを含む。たとえば、一態様では、本明細書で説明するデバイスのうちの１つまたは複数が、３０４におけるアクションを実行してよい。
【０１６１】
[00173]３０６において、方法３００は、アクティブなパケットデータ単位（ＰＤＵ）セッションごとに、ネットワークスライス、ＤＮＮ、およびＡＰＮから、ＰＤＵセッション識別情報（ＩＤ）への、マッピングを保持することを随意に含む。たとえば、一態様では、本明細書で説明するデバイスのうちの１つまたは複数が、３０６におけるアクションを実行してよい。
【０１６２】
[00174]図４を参照すると、そこに示されるということは、５ＧＳネットワークスライシングとＥＰＣ接続性との間の相互作用のための上述の態様による方法４００の一例のフロー図であり、方法４００は、本明細書で規定するアクションのうちの１つまたは複数を含む。
【０１６３】
[00175]たとえば、４０２において、方法４００は、ＵＥがＥＰＣに移動することに応答して、またはＵＥがＥＰＣの中にある間に新たなＰＤＮ接続が作成されることに応答して、ＵＥ機能が、アクティブなＰＤＮ接続と対応するＳ−ＮＳＳＡＩとの間のマッピングを保持することを可能にすることを含む。たとえば、一態様では、本明細書で説明するデバイスのうちの１つまたは複数が、４０２におけるアクションを実行してよい。本明細書で使用するＰＤＮ接続およびＰＤＵセッションという用語は均等であり、互換的に使用され得る。
【０１６４】
[00176]４０４において、方法４００は、登録プロシージャ中にマッピングについての情報をＡＭＦに提供することを含む。たとえば、一態様では、本明細書で説明するデバイスのうちの１つまたは複数が、４０４におけるアクションを実行してよい。
【０１６５】
[00177]図５を参照すると、そこに示されるということは、５ＧＳネットワークスライシングとＥＰＣ接続性との間の相互作用のための上述の態様による方法５００の一例のフロー図であり、方法５００は、本明細書で規定するアクションのうちの１つまたは複数を含む。
【０１６６】
[00178]たとえば、５０２において、方法５００は、様々なネットワークスライスへの接続性をサポートするＡＭＦが、ＵＥに対してネットワークによって許容されるネットワークスライスのリストの中の（すなわち、ＵＥに割り当てられた許容Ｓ−ＮＳＳＡＩの中の）ネットワークスライスのセット（たとえば、各々がＳ−ＮＳＳＡＩによって識別され得る）から、ＥＰＣの中の特定のＤＣＮまでの間の、マッピングを用いて構成されることを可能にすることを含む。たとえば、一態様では、本明細書で説明するデバイスのうちの１つまたは複数が、５０２におけるアクションを実行してよい。本明細書で説明するように、ネットワークスライスは、Ｓ−ＮＳＳＡＩによって識別されるスライスであり、許容ネットワークスライスは、許容ＮＳＳＡＩによって識別されるスライスであり、他のネットワークスライスについて同様である。
【０１６７】
[00179]５０４において、方法５００は、マッピングを適用することを含む。たとえば、一態様では、本明細書で説明するデバイスのうちの１つまたは複数が、５０４におけるアクションを実行してよい。
【０１６８】
[00180]図６を参照すると、そこに示されるということは、５ＧＳネットワークスライシングとＥＰＣ接続性との間の相互作用のための上述の態様による方法６００の一例のフロー図であり、方法６００は、本明細書で規定するアクションのうちの１つまたは複数を含む。
【０１６９】
[00181]たとえば、６０２において、方法６００は、ＵＥがＰＤＵセッションをＥＰＣに移動させ、特定のＤＣＮがネットワークスライスとＤＣＮとの間のマッピングに基づいてＵＥにサービスするための選択であるとき、ＳＭＦがＰＤＵセッションに対する接続性管理をサポートし続け得ることを確実にするために、ＳＭＦ選択機能が、（たとえば、Ｓ−ＮＳＳＡＩによって識別される）ネットワークスライスのセットとＥＰＣの中のＤＣＮとの間のマッピングを考慮して、ＡＭＦが、（たとえば、Ｓ−ＮＳＳＡＩによって識別される）ネットワークスライスに対応するＵＣに対してＰＤＵセッションを確立するためのＳＭＦを選択することを確実にすることを可能にすることを含む。たとえば、一態様では、本明細書で説明するデバイスのうちの１つまたは複数が、６０２におけるアクションを実行してよい。
【０１７０】
[00182]６０４において、方法６００は、ＳＭＦ選択機能を適用することを含む。たとえば、一態様では、本明細書で説明するデバイスのうちの１つまたは複数が、６０４におけるアクションを実行してよい。
【０１７１】
[00183]図７を参照すると、そこに示されるということは、５ＧＳネットワークスライシングとＥＰＣ接続性との間の相互作用のための上述の態様による方法７００の一例のフロー図であり、方法７００は、本明細書で規定するアクションのうちの１つまたは複数を含む。
【０１７２】
[00184]たとえば，７０２において、方法７００は、許容Ｓ−ＮＳＳＡＩに基づいてＡＭＦによって設定された一時的ＵＥ使用タイプを用いて、ＨＳＳの中に保持される加入済みＵＥ使用タイプを増補することを含む。たとえば、一態様では、本明細書で説明するデバイスのうちの１つまたは複数が、７０２におけるアクションを実行してよい。
【０１７３】
[00185]７０４において、方法７００は、許容Ｓ−ＮＳＳＡＩがＵＥに割り振られるときに一時的ＵＥ使用タイプをＨＳＳに提供することを含む。たとえば、一態様では、本明細書で説明するデバイスのうちの１つまたは複数が、７０４におけるアクションを実行してよい。
【０１７４】
[00186]７０６において、方法７００は、加入済みＵＥ使用タイプに加えて一時的ＵＥ使用タイプをＨＳＳの中に記憶することを随意に含む。
【０１７５】
[00187]７０８において、方法７００は、ＵＥ使用タイプをＭＭＥに提供するとき、ＨＳＳが、記憶された一時的ＵＥ使用タイプを有する場合、ＨＳＳが一時的ＵＥ使用タイプを提供したことを随意に含む。
【０１７６】
[00188]図８を参照すると、ＵＥ１１０の実装形態の一例は様々な構成要素を含んでよく、そのうちのいくつかはすでに上記で説明されているが、１つまたは複数のプロセッサ８１２およびメモリ８１６、ならびに１つまたは複数のバス８４４を介して通信しているトランシーバ８０２などの構成要素を含み、それらは５ＧＳネットワークスライシングとＥＰＣ接続性との間の相互作用を可能にするメカニズムに関する、本明細書で説明する機能のうちの１つまたは複数を可能にするために、モデム１４０および相互作用構成要素１５０とともに動作し得る。さらに、１つまたは複数のプロセッサ８１２、モデム１４０、メモリ８１６、トランシーバ８０２、ＲＦフロントエンド８８８、および１つまたは複数のアンテナ８６５は、１つまたは複数の無線アクセス技術における音声および／またはデータ呼出しを（同時にまたは非同時に）サポートするように構成され得る。
【０１７７】
[00189]一態様では、１つまたは複数のプロセッサ８１２は、１つまたは複数のモデムプロセッサを使用するモデム１４０を含むことができる。相互作用構成要素１５０に関係する様々な機能は、モデム１４０および／またはプロセッサ８１２の中に含まれてよく、一態様では、単一のプロセッサによって実行され得るが、他の態様では、機能のうちの異なる機能が、２つ以上の異なるプロセッサの組合せによって実行されてもよい。たとえば、一態様では、１つまたは複数のプロセッサ８１２は、トランシーバ８０２に関連するモデムプロセッサ、またはベースバンドプロセッサ、またはデジタル信号プロセッサ、または送信プロセッサ、または受信機プロセッサ、またはトランシーバプロセッサのうちの、いずれか１つまたは任意の組合せを含んでよい。他の態様では、相互作用構成要素１５０に関連する１つまたは複数のプロセッサ８１２および／またはモデム１４０の機能のうちのいくつかが、トランシーバ８０２によって実行され得る。
【０１７８】
[00190]また、メモリ８１６は、本明細書において使用されるデータ、および／またはアプリケーション８７５もしくは相互作用構成要素１５０のローカルバージョン、および／または少なくとも１つのプロセッサ８１２によって実行されているその下位構成要素のうちの１つまたは複数を記憶するように構成され得る。メモリ８１６は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなどの、コンピュータまたは少なくとも１つのプロセッサ８１２によって使用できる任意のタイプのコンピュータ可読媒体を含むことができる。一態様では、たとえば、メモリ８１６は、ＵＥ１１０が、相互作用構成要素１５０および／またはその下位構成要素のうちの１つまたは複数を実行するように少なくとも１つのプロセッサ８１２を動作させているとき、相互作用構成要素１５０および／またはその下位構成要素のうちの１つまたは複数を規定する１つまたは複数のコンピュータ実行可能コード、ならびに／あるいはそれらに関連するデータを記憶する非一時的コンピュータ可読記憶媒体であってよい。相互作用構成要素１５０は、方法３００、４００、５００、６００、および／または７００に関して上記で説明したアクションのうちの少なくともいくつかを実行するように構成された１つまたは複数の下位構成要素を含んでよい。
【０１７９】
[00191]トランシーバ８０２は、少なくとも１つの受信機８０６と少なくとも１つの送信機８０８とを含んでよい。受信機８０６は、ハードウェア、ファームウェア、および／またはデータを受信するためにプロセッサによって実行可能なソフトウェアコードを含んでよく、コードは、命令を備えメモリ（たとえば、コンピュータ可読媒体）の中に記憶される。受信機８０６は、たとえば、無線周波数（ＲＦ）受信機であってよい。一態様では、受信機８０６は、少なくとも１つの基地局１２５によって送信された信号を受信し得る。追加として、受信機８０６は、そのような受信信号を処理してよく、また限定はしないが、Ｅｃ／Ｉｏ、ＳＮＲ、ＲＳＲＰ、ＲＳＳＩなどの、信号の測定値を取得してもよい。送信機８０８は、ハードウェア、ファームウェア、および／またはデータを送信するためにプロセッサによって実行可能なソフトウェアコードを含んでよく、コードは、命令を備えメモリ（たとえば、コンピュータ可読媒体）の中に記憶される。送信機８０８の好適な例は、限定はしないが、ＲＦ送信機を含むことであり得る。
【０１８０】
[00192]その上、一態様では、ＵＥ１１０は、無線送信、たとえば、少なくとも１つの基地局１２５によって送信されるワイヤレス通信またはＵＥ１１０によって送信されるワイヤレス送信を受信および送信するために、１つまたは複数のアンテナ８６５およびトランシーバ８０２と通信して動作し得る、ＲＦフロントエンド８８８を含んでよい。ＲＦフロントエンド８８８は、１つまたは複数のアンテナ８６５に接続されてよく、ＲＦ信号を送信および受信するために、１つまたは複数の低雑音増幅器（ＬＮＡ）８９０と、１つまたは複数のスイッチ８９２と、１つまたは複数の電力増幅器（ＰＡ）８９８と、１つまたは複数のフィルタ８９６とを含むことができる。
【０１８１】
[00193]一態様では、ＬＮＡ８９０は、受信信号を所望の出力レベルにおいて増幅することができる。一態様では、各ＬＮＡ８９０は、指定された最小利得値と最大利得値とを有してよい。一態様では、ＲＦフロントエンド８８８は、特定のＬＮＡ８９０とその指定された利得値とを、特定の用途に対する所望の利得値に基づいて選択するために、１つまたは複数のスイッチ８９２を使用し得る。
【０１８２】
[00194]さらに、たとえば、所望の出力電力レベルにおけるＲＦ出力に対して信号を増幅するために、１つまたは複数のＰＡ８９８がＲＦフロントエンド８８８によって使用され得る。一態様では、各ＰＡ８９８は、指定された最小利得値と最大利得値とを有してよい。一態様では、ＲＦフロントエンド８８８は、特定のＰＡ８９８とその指定された利得値とを、特定の用途に対する所望の利得値に基づいて選択するために、１つまたは複数のスイッチ８９２を使用し得る。
【０１８３】
[00195]また、たとえば、受信信号をフィルタ処理して入力ＲＦ信号を取得するために、１つまたは複数のフィルタ８９６がＲＦフロントエンド８８８によって使用され得る。同様に、一態様では、たとえば、それぞれのＰＡ８９８からの出力をフィルタ処理して送信用の出力信号を生成するために、それぞれのフィルタ８９６が使用され得る。一態様では、各フィルタ８９６は、特定のＬＮＡ８９０および／またはＰＡ８９８に接続され得る。一態様では、ＲＦフロントエンド８８８は、トランシーバ８０２および／またはプロセッサ８１２によって指定されるような構成に基づいて、指定されたフィルタ８９６、ＬＮＡ８９０、および／またはＰＡ８９８を使用する送信経路または受信経路を選択するために、１つまたは複数のスイッチ８９２を使用することができる。
【０１８４】
[00196]したがって、トランシーバ８０２は、ＲＦフロントエンド８８８を介して１つまたは複数のアンテナ８６５を通じてワイヤレス信号を送信および受信するように構成され得る。一態様では、トランシーバは、ＵＥ１１０が、たとえば、１つまたは複数の基地局１２５、あるいは１つまたは複数の基地局１２５に関連する１つまたは複数のセルと通信できるような、指定された周波数において動作するように同調されてよい。一態様では、たとえば、モデム１４０は、ＵＥ１１０のＵＥ構成およびモデム１４０によって使用される通信プロトコルに基づいて、指定された周波数および電力レベルにおいて動作するようにトランシーバ８０２を構成することができる。
【０１８５】
[00197]一態様では、モデム１４０は、トランシーバ８０２を使用してデジタルデータが送られ受信されるように、デジタルデータを処理することおよびトランシーバ８０２と通信することができる、マルチバンドマルチモードのモデムであり得る。一態様では、モデム１４０はマルチバンドであり得、特定の通信プロトコル用の複数の周波数帯域をサポートするように構成され得る。一態様では、モデム１４０はマルチモードであり得、複数の動作ネットワークと通信プロトコルとをサポートするように構成され得る。一態様では、モデム１４０は、指定されたモデム構成に基づいてネットワークからの信号の送信および／または受信を可能にするように、ＵＥ１１０の１つまたは複数の構成要素（たとえば、ＲＦフロントエンド８８８、トランシーバ８０２）を制御することができる。一態様では、モデム構成は、モデムのモードおよび使用中の周波数帯域に基づき得る。別の態様では、モデム構成は、セル選択および／またはセル再選択の間にネットワークによって提供されるような、ＵＥ１１０に関連するＵＥ構成情報に基づき得る。
【０１８６】
[00198]図９を参照すると、ネットワークデバイス９００の実装形態の一例は様々な構成要素を含んでよく、そのうちのいくつかはすでに上記で説明されているが、１つまたは複数のプロセッサ９１２およびメモリ９１６、ならびに１つまたは複数のバス９４４を介して通信しているトランシーバ９０２などの構成要素を含み、それらは５ＧＳネットワークスライシングとＥＰＣ接続性との間の相互作用を可能にするメカニズムに関連するネットワーク側動作に関する、本明細書で説明する機能のうちの１つまたは複数を可能にするために、相互作用構成要素９５０とともに動作し得る。一例では、ネットワークデバイス９００は、ＡＭＦまたはＭＭＥの機能（図２参照）のうちの少なくともいくつかを実施することができ、ここで、そのような機能は、５ＧＳネットワークスライシングとＥＰＣ接続性との間の相互作用を可能にするメカニズムに関連するネットワーク側動作に関係する。
【０１８７】
[00199]トランシーバ９０２、受信機９０６、送信機９０８、１つまたは複数のプロセッサ９１２、メモリ９１６、アプリケーション９７５、およびバス９４４は、上記で説明したようなＵＥ１１０の対応する構成要素と同じかまたは類似であってよいが、ＵＥ動作ではなくネットワーク側動作のために構成または別様にプログラムされてよい。トランシーバ９０２は、たとえば、図２に関して上記で説明したＭＭＥ−ＡＭＦインターフェースなどの、インターフェースをサポートするように構成され得る。
【０１８８】
[00200]添付の図面に関して上述された上記の発明を実施するための形態は、例を説明し、実装され得るかまたは特許請求の範囲内に入る例のみを表すとは限らない。「例示的な」という用語は、この説明において使用されるとき、「例、事例、または例示の働きをすること」を意味し、「好ましい」または「他の例よりも有利な」を意味しない。発明を実施するための形態は、説明した技法の理解を与える目的で具体的な詳細を含む。しかしながら、これらの技法は、これらの具体的な詳細なしに実践されてよい。いくつかの事例では、説明した例の概念を不明瞭にすることを回避するために、よく知られている構造および装置がブロック図の形態で示されている。
【０１８９】
[00201]情報および信号は、様々な異なる技術および技法のうちのいずれかを使用して表されてよい。たとえば、上記の説明全体にわたって参照され得るデータ、命令、コマンド、情報、信号、ビット、シンボル、およびチップは、電圧、電流、電磁波、磁場もしくは磁気粒子、光場もしくは光学粒子、コンピュータ可読媒体に記憶されたコンピュータ実行可能コードもしくは命令、またはそれらの任意の組合せによって表されてよい。
【０１９０】
[00202]本明細書の開示に関して説明した様々な例示的なブロックおよび構成要素は、限定はしないが、プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せなどの、特別にプログラムされたデバイスを用いて実装または実行されてよい。特別にプログラムされたプロセッサはマイクロプロセッサであってよいが、代替として、プロセッサは、任意の従来のプロセッサ、コントローラ、マイクロコントローラ、またはステートマシンであってよい。特別にプログラムされたプロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装されてよい。
【０１９１】
[00203]本明細書で説明した機能は、ハードウェア、プロセッサによって実行されるソフトウェア、ファームウェア、またはそれらの任意の組合せで実装されてよい。プロセッサによって実行されるソフトウェアで実装される場合、機能は、１つまたは複数の命令またはコードとして、非一時的コンピュータ可読媒体に記憶されてよく、または非一時的コンピュータ可読媒体を介して送信されてよい。他の例および実装形態が、本開示および添付の特許請求の範囲内および趣旨内に入る。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置されてよい。また、特許請求の範囲の中を含めて本明細書で使用される、「のうちの少なくとも１つ」で終わる項目の列挙の中で使用される「または」は、たとえば、「Ａ、Ｂ、またはＣのうちの少なくとも１つ」という列挙がＡまたはＢまたはＣまたはＡＢまたはＡＣまたはＢＣまたはＡＢＣ（すなわち、ＡおよびＢおよびＣ）を意味するような選言的列挙を示す。
【０１９２】
[00204]コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の利用可能な媒体であってよい。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態の所望のプログラムコード手段を搬送または格納するために使用され得るとともに、汎用コンピュータもしくは専用コンピュータまたは汎用プロセッサもしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義の中に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、データを磁気的に再生し、ディスク（disc）は、レーザーを用いてデータを光学的に再生する。上記の組合せもコンピュータ可読媒体の範囲内に含まれる。
【０１９３】
[00205]本開示の前述の説明は、当業者が本開示を作成または使用することを可能にするために提供される。本開示の様々な修正は当業者には容易に明らかになり、本明細書で定義される共通原理は、本開示の趣旨または範囲から逸脱することなく、他の変形形態に適用されてよい。さらに、説明した態様および／または実施形態の要素は単数形で記載または特許請求されることがあるが、単数形への限定が明示的に述べられていない限り複数形が考えられる。追加として、任意の態様および／または実施形態の全部または一部は、別段に記載されていない限り、任意の他の態様および／または実施形態の全部または一部とともに利用されてよい。したがって、本開示は、本明細書で説明した例および設計に限定されるべきでなく、本明細書で開示する原理および新規の特徴に一致する最も広い範囲を与えられるべきである。
【図１】
2021500800.tif 000003
【図２】
2021500800.tif 000004
【図３】
2021500800.tif 000005
【図４】
2021500800.tif 000006
【図５】
2021500800.tif 000007
【図６】
2021500800.tif 000008
【図７】
2021500800.tif 000009
【図８】
2021500800.tif 000010
【図９】
2021500800.tif 000011
【国際調査報告】
2021500800.tif 000012
2021500800.tif 000013
2021500800.tif 000014
2021500800.tif 000015
2021500800.tif 000016